(57)【特許請求の範囲】
【請求項１】
ゲートウェイ制御プレーンにより、ゲートウェイ転送プレーンに、課金情報を識別するために使用される課金情報識別情報セットを送信するステップと、
前記ゲートウェイ転送プレーンへのリンクに障害が発生したことが検出された場合、前記ゲートウェイ制御プレーンにより、前記ゲートウェイ転送プレーンにより送信された第１の課金情報を保存するステップであり、ただし、前記第１の課金情報は、第１の課金情報識別情報を伝達し、前記第１の課金情報識別情報は、前記課金情報識別情報セットの要素であるステップと、
前記ゲートウェイ転送プレーンへの前記リンクが回復したことが検出された場合、前記ゲートウェイ制御プレーンにより、前記ゲートウェイ転送プレーンにより保存されている、前記ゲートウェイ転送プレーンにより送信された第２の課金情報を受信するステップであり、ただし、前記第２の課金情報は、第２の課金情報識別情報を伝達し、前記第２の課金情報識別情報は、前記課金情報識別情報セットの要素であるステップと、
前記ゲートウェイ制御プレーンにより、前記第１の課金情報識別情報及び前記第２の課金情報識別情報に従って、前記第１の課金情報と前記第２の課金情報とを組み合わせるステップと
を有する課金情報処理方法。
【請求項２】
前記第１の課金情報識別情報及び前記第２の課金情報識別情報に従って、前記第１の課金情報と前記第２の課金情報とを組み合わせるステップは、
前記第１の課金情報識別情報と前記第２の課金情報識別情報との間の対応に従って、前記第１の課金情報と前記第２の課金情報とを組み合わせるステップを有する、請求項１に記載の方法。
【請求項３】
前記ゲートウェイ転送プレーンにより送信された前記第１の課金情報を保存するステップは、
第１のメッセージを前記ゲートウェイ転送プレーンに送信し、前記第１の課金情報を保存するステップであり、ただし、前記第１のメッセージは、前記ゲートウェイ転送プレーンに対して前記第２の課金情報を保存するように命令するために使用されるステップを有する、請求項１又は２に記載の方法。
【請求項４】
前記ゲートウェイ転送プレーンにより保存されている、前記ゲートウェイ転送プレーンにより送信された前記第２の課金情報を受信する前に、
前記方法は、第２のメッセージを前記ゲートウェイ転送プレーンに送信するステップであり、ただし、前記第２のメッセージは、前記ゲートウェイ転送プレーンに対して前記第２の課金情報を送信するように命令するために使用されるステップを更に有する、請求項３に記載の方法。
【請求項５】
前記第１の課金情報識別情報及び前記第２の課金情報識別情報に従って、前記第１の課金情報と前記第２の課金情報とを組み合わせるステップは、
前記第１の課金情報と前記第２の課金情報との組み合わせに成功した場合、請求書を生成するステップと、
前記第１の課金情報と前記第２の課金情報との組み合わせに失敗した場合、課金情報が失われたことを記録するステップ、又は前記ゲートウェイ転送プレーンが要求メッセージに従って前記第１の課金情報に一致する第３の課金情報を検索するために、前記第１の課金情報識別情報を含む要求メッセージを前記ゲートウェイ転送プレーンに送信するステップと
を有する、請求項１ないし４のうちいずれか１項に記載の方法。
【請求項６】
前記ゲートウェイ転送プレーンが前記要求メッセージに従って前記第１の課金情報に一致する前記第３の課金情報を検索するために、前記第１の課金情報識別情報を含む前記要求メッセージを前記ゲートウェイ転送プレーンに送信するステップは、
前記ゲートウェイ転送プレーンが前記第３の課金情報を見つけた場合、前記ゲートウェイ転送プレーンにより送信された前記第３の課金情報を受信するステップであり、ただし、前記第３の課金情報は、第３の課金情報識別情報を伝達し、前記第３の課金情報識別情報は、前記課金情報識別情報セットの要素であり、前記第１の課金情報識別情報及び前記第３の課金情報識別情報に従って、前記第１の課金情報と前記第３の課金情報とを組み合わせるステップと、
前記ゲートウェイ転送プレーンが前記第３の課金情報を見つけなかった場合、前記ゲートウェイ転送プレーンにより送信された第３のメッセージを受信ステップであり、ただし、前記第３のメッセージは、課金情報が失われたことを示すために使用されるステップと
を有する、請求項５に記載の方法。
【請求項７】
前記課金情報識別情報セットの要素は、ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを有する、請求項１ないし６のうちいずれか１項に記載の方法。
【請求項８】
ゲートウェイ転送プレーンにより、課金情報を識別するために使用される、ゲートウェイ制御プレーンにより送信された課金情報識別情報セットを受信するステップと、
前記ゲートウェイ転送プレーンにより、第１の課金情報を前記ゲートウェイ制御プレーンに送信するステップであり、ただし、前記第１の課金情報は、第１の課金情報識別情報を伝達し、前記第１の課金情報識別情報は、前記課金情報識別情報セットの要素であるステップと、
前記ゲートウェイ制御プレーンへのリンクに障害が発生したことが検出された場合、前記ゲートウェイ転送プレーンにより、第２の課金情報を保存するステップと、
前記ゲートウェイ制御プレーンへの前記リンクが回復したことが検出された場合、前記ゲートウェイ転送プレーンにより、前記ゲートウェイ制御プレーンが前記第１の課金情報識別情報及び第２の課金情報識別情報に従って、前記第１の課金情報と前記第２の課金情報とを組み合わせるために、前記第２の課金情報を前記ゲートウェイ制御プレーンに送信するステップであり、ただし、前記第２の課金情報は、第２の課金情報識別情報を伝達し、前記第２の課金情報識別情報は、前記課金情報識別情報セットの要素であるステップと
を有する課金情報処理方法。
【請求項９】
前記第２の課金情報を保存する前に、
前記方法は、前記ゲートウェイ転送プレーンにより、前記ゲートウェイ制御プレーンにより送信された第１のメッセージを受信するステップを更に有し、
前記第２の課金情報を保存するステップは、
前記第１のメッセージに従って前記第２の課金情報を保存するステップを有する、請求項８に記載の方法。
【請求項１０】
前記第１のメッセージに従って前記第２の課金情報を保存した後に、
前記方法は、前記ゲートウェイ転送プレーンにより、前記ゲートウェイ制御プレーンにより送信された第２のメッセージを受信するステップを更に有し、
前記第２の課金情報を前記ゲートウェイ制御プレーンに送信するステップは、
前記第２のメッセージに従って前記第２の課金情報を前記ゲートウェイ制御プレーンに送信するステップを有する、請求項９に記載の方法。
【請求項１１】
前記ゲートウェイ転送プレーンにより、前記ゲートウェイ制御プレーンにより送信された要求メッセージを受信するステップであり、ただし、前記要求メッセージは、前記第１の課金情報識別情報を含むステップと、
前記ゲートウェイ転送プレーンにより、前記要求メッセージに従って前記第１の課金情報に一致する第３の課金情報を検索するステップと
を更に有する、請求項８ないし１０のうちいずれか１項に記載の方法。
【請求項１２】
前記要求メッセージに従って前記第１の課金情報に一致する前記第３の課金情報を検索するステップは、
前記第３の課金情報が見つかった場合、前記ゲートウェイ制御プレーンが前記第１の課金情報識別情報及び第３の課金情報識別情報に従って、前記第１の課金情報と前記第３の課金情報とを組み合わせるために、前記第３の課金情報を前記ゲートウェイ制御プレーンに送信するステップであり、ただし、前記第３の課金情報は、第３の課金情報識別情報を伝達し、前記第３の課金情報識別情報は、前記課金情報識別情報セットの要素であるステップと、
前記第３の課金情報が見つからなかった場合、第３のメッセージを前記ゲートウェイ制御プレーンに送信するステップであり、ただし、前記第３のメッセージは、課金情報が失われたことを示すために使用されるステップと
を有する、請求項１１に記載の方法。
【請求項１３】
前記課金情報識別情報セットの要素は、前記ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを有する、請求項８ないし１２のうちいずれか１項に記載の方法。
【請求項１４】
ゲートウェイ転送プレーンに、課金情報を識別するために使用される課金情報識別情報セットを送信するように構成された送信ユニットと、
前記ゲートウェイ転送プレーンへのリンクに障害が発生したことが検出された場合、前記ゲートウェイ転送プレーンにより送信された第１の課金情報を保存するように構成された記憶装置であり、ただし、前記第１の課金情報は、第１の課金情報識別情報を伝達し、前記第１の課金情報識別情報は、前記課金情報識別情報セットの要素である記憶装置と、
前記ゲートウェイ転送プレーンへのリンクが回復したことが検出された場合、前記ゲートウェイ転送プレーンにより保存されている、前記ゲートウェイ転送プレーンにより送信された第２の課金情報を受信するように構成された受信ユニットであり、ただし、前記第２の課金情報は、第２の課金情報識別情報を伝達し、前記第２の課金情報識別情報は、前記課金情報識別情報セットの要素である受信ユニットと、
前記第１の課金情報識別情報及び前記第２の課金情報識別情報に従って、前記記憶装置により保存された前記第１の課金情報と前記受信ユニットにより受信した前記第２の課金情報とを組み合わせるように構成されたプロセッサと
を有するゲートウェイ制御プレーン。
【請求項１５】
前記プロセッサは、特に、前記第１の課金情報識別情報と前記第２の課金情報識別情報との間の対応に従って、前記記憶装置により保存された前記第１の課金情報と前記受信ユニットにより受信した前記第２の課金情報とを組み合わせるように構成される、請求項１４に記載のゲートウェイ制御プレーン。
【請求項１６】
前記記憶装置は、特に、前記送信ユニットが第１のメッセージを前記ゲートウェイ転送プレーンに送信した場合、前記第１の課金情報を保存するように構成され、ただし、前記第１のメッセージは、前記ゲートウェイ転送プレーンに対して前記第２の課金情報を保存するように命令するために使用される、請求項１４又は１５に記載のゲートウェイ制御プレーン。
【請求項１７】
前記送信ユニットは、第２のメッセージを前記ゲートウェイ転送プレーンに送信するように更に構成され、ただし、前記第２のメッセージは、前記ゲートウェイ転送プレーンに対して前記第２の課金情報を送信するように命令するために使用される、請求項１６に記載のゲートウェイ制御プレーン。
【請求項１８】
前記プロセッサは、
前記第１の課金情報と前記第２の課金情報との組み合わせに成功した場合、請求書を生成し、
前記第１の課金情報と前記第２の課金情報との組み合わせに失敗した場合、課金情報が失われたことを記録するように更に構成され、又は前記送信ユニットは、前記ゲートウェイ転送プレーンが要求メッセージに従って前記第１の課金情報に一致する第３の課金情報を検索するために、前記第１の課金情報識別情報を含む要求メッセージを前記ゲートウェイ転送プレーンに送信するように更に構成される、請求項１４ないし１７のうちいずれか１項に記載のゲートウェイ制御プレーン。
【請求項１９】
前記受信ユニットは、前記ゲートウェイ転送プレーンが前記第３の課金情報を見つけた場合、前記ゲートウェイ転送プレーンにより送信された前記第３の課金情報を受信するように更に構成され、ただし、前記第３の課金情報は、第３の課金情報識別情報を伝達し、前記第３の課金情報識別情報は、前記課金情報識別情報セットの要素であり、前記プロセッサは、前記第１の課金情報識別情報及び前記第３の課金情報識別情報に従って、前記第１の課金情報と前記第３の課金情報とを組み合わせるように更に構成され、
前記受信ユニットは、前記ゲートウェイ転送プレーンが前記第３の課金情報を見つけなかった場合、前記ゲートウェイ転送プレーンにより送信された第３のメッセージを受信するように更に構成され、ただし、前記第３のメッセージは、課金情報が失われたことを示すために使用される、請求項１８に記載のゲートウェイ制御プレーン。
【請求項２０】
前記課金情報識別情報セットの要素は、前記ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを有する、請求項１４ないし１９のうちいずれか１項に記載のゲートウェイ制御プレーン。
【請求項２１】
課金情報を識別するために使用される、ゲートウェイ制御プレーンにより送信された課金情報識別情報セットを受信するように構成された受信ユニットであり、前記課金情報識別情報セットを第１の送信ユニット及び第２の送信ユニットに送信する受信ユニットと、
第１の課金情報を前記ゲートウェイ制御プレーンに送信するように構成された前記第１の送信ユニットであり、ただし、前記第１の課金情報は、第１の課金情報識別情報を伝達し、前記第１の課金情報識別情報は、前記課金情報識別情報セットの要素である前記第１の送信ユニットと、
前記ゲートウェイ制御プレーンへのリンクに障害が発生したことが検出された場合、第２の課金情報を保存するように構成された記憶装置と、
前記ゲートウェイ制御プレーンへのリンクが回復したことが検出された場合、前記記憶装置に保存された前記第２の課金情報を前記ゲートウェイ制御プレーンに送信するように構成された前記第２の送信ユニットであり、ただし、前記第２の課金情報は、第２の課金情報識別情報を伝達し、前記第２の課金情報識別情報は、前記課金情報識別情報セットの要素である前記第２の送信ユニットと
を有するゲートウェイ転送プレーン。
【請求項２２】
前記受信ユニットは、前記ゲートウェイ制御プレーンにより送信された第１のメッセージを受信するように更に構成され、
前記記憶装置は、特に、前記受信ユニットにより受信した前記第１のメッセージに従って前記第２の課金情報を保存するように構成される、請求項２１に記載のゲートウェイ転送プレーン。
【請求項２３】
前記受信ユニットは、前記ゲートウェイ制御プレーンにより送信された第２のメッセージを受信するように更に構成され、
前記第２の送信ユニットは、特に、前記受信ユニットにより受信した前記第２のメッセージに従って前記第２の課金情報を前記ゲートウェイ制御プレーンに送信するように構成される、請求項２２に記載のゲートウェイ転送プレーン。
【請求項２４】
前記受信ユニットは、前記ゲートウェイ制御プレーンにより送信された要求メッセージを受信するように更に構成され、ただし、前記要求メッセージは、前記第１の課金情報識別情報を有し、
前記ゲートウェイ転送プレーンは、前記要求メッセージに従って前記第１の課金情報に一致する第３の課金情報を検索するように構成されたプロセッサを更に有する、請求項２１ないし２３のうちいずれか１項に記載のゲートウェイ転送プレーン。
【請求項２５】
前記プロセッサが前記第３の課金情報を見つけて前記第３の課金情報を前記第２の送信ユニットに送信した場合、前記第２の送信ユニットは、前記第３の課金情報を前記ゲートウェイ制御プレーンに送信するように更に構成され、ただし、前記第３の課金情報は、第３の課金情報識別情報を伝達し、前記第３の課金情報識別情報は、前記課金情報識別情報セットの要素であり、
前記プロセッサが前記第３の課金情報を見つけなかった場合、前記第２の送信ユニットは、第３のメッセージを前記ゲートウェイ制御プレーンに送信するように更に構成され、ただし、前記第３のメッセージは、課金情報が失われたことを示すために使用される、請求項２４に記載のゲートウェイ転送プレーン。
【請求項２６】
前記課金情報識別情報セットの要素は、前記ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを有する、請求項２１ないし２５のうちいずれか１項に記載のゲートウェイ転送プレーン。
【発明の詳細な説明】
【技術分野】
【０００１】
本発明の実施例は、通信技術の分野に関し、特に課金情報処理方法及びゲートウェイデバイスに関する。
【背景技術】
【０００２】
3GPP（The  3rd  Generation  Partnership  Project）は、真新しい進化したネットワークを開発しており、進化したネットワークのSAE（System  Architecture  Evolution）が図１に示されている。SAEアーキテクチャでは、UE（User  Equipment）が無線エアインタフェースを通じてE-UTRAN（Evolved  Universal  Terrestrial  Radio  Access  Network）にアクセスした後に、UEは、まずMME（Mobility  Management  Entity）にアタッチする。MMEは、HSS（Home  Subscriber  Server）からユーザ加入データ及び認証情報を取得し、UEの認証を実行する処理を開始する。MMEが認証処理を完了すると、UE又はMMEは、ユーザデータを送信するために使用されるベアラを確立する処理を開始する。この処理において、MMEは、ユーザについてユーザデータを送信するために使用されるE-UTRANからP-GW（Packet  Data  Network  Gateway）へのベアラを確立するようにS-GW（Serving  Gateway）に通知する。ここで、通知メッセージは、P-GWのアドレスと、ユーザが存在するE-UTRANネットワークエレメントのアドレス情報とを伝達する。P-GWは、ベアラを通じて外部PDN（Packet  Data  Network）からUEに下りリンクデータを転送し、UEから対応するPDNに上りリンクデータを転送する。
【０００３】
既存のUTRAN（Universal  Terrestrial  Radio  Access  Network）及びGERAN（Global  System  for  Mobile  communications/Enhanced  Data  rates  for  GSM（登録商標）  Evolution（GSM（登録商標）/EDGE）  Radio  Access  Network）と互換性を有するために、UEは、UTRAN又はGERAN及びSGSN（Serving  GPRS（General  Packet  Radio  Service)  Support  Node）を通じてMMEにアクセスしてもよく、UTRAN／GERAN及びSGSNを通じてS-GWとGTP（TPRS  Tunnel  Protocol）トンネル接続を確立してもよい。S-GWは、GTPトンネルを、P-GWに接続してユーザデータを送信するために使用される対応するベアラに変換する。UTRANはまた、S-GWに直接接続するGTPトンネルを確立してもよい。MMEは、制御プレーンのシグナリングのみを処理するネットワークエレメントとして機能し、S-GW及びP-GWは、主にユーザプレーンのデータを転送する役目をする。S-GW及びP-GWは、１つのネットワークエレメントに組み合わされてもよく、統一ゲートウェイ（UGW：unified  gateway）と呼ばれることがある。
【０００４】
モバイルインターネットサービスの進展、エンタープライズネットワークサービスの充実、及び複数のRATのモバイルアクセスネットワークの統合により、ゲートウェイデバイスは、更に豊富なサービスの実装及びオペレータからの制御の要求をサポートするために、基本的なデータ転送機能の実装に基づく更に改善したサービス制御及び課金に次第に進展する必要がある。一方、進化したネットワークでは、UGWは、依然として大量の外部シグナリングインタフェースを維持する必要がある。これらのシグナリングインタフェースは、MMEとゲートウェイとの間のGTP制御プレーン（GTP-C：GTP  control  plane）ベアラインタフェース、RCRF（Policy  and  Charging  Rules  Function）とゲートウェイとの間のPCC（Policy  and  Charging  Control）インタフェース、課金システムとゲートウェイとの間の課金インタフェース、合法的傍受デバイスとゲートウェイとの間の合法的傍受インタフェース、DHCP（Dynamic  Host  Configuration  Protocol）サーバとゲートウェイとの間のDHCPインタフェース、AAA（Authentication,  Authorization  and  Accounting）サーバとゲートウェイとの間のインタフェース等を含む。
【発明の概要】
【発明が解決しようとする課題】
【０００５】
大量のインタフェースのシグナリングを処理するために、汎用コンピュータプロセッサチップのような大量のハードウェアが専用ハードウェアプラットフォームに基づいてゲートウェイに追加され、これにより、ゲートウェイデバイスのハードウェアプラットフォームは、非常に複雑になり、極めて高コストを有している。このことは、モバイルパケットデータネットワークの促進及び展開に反する。
【０００６】
前述の問題を解決するために、ゲートウェイの制御プレーン及び転送プレーンが分離されるシナリオが現時点で現れている。すなわち、ゲートウェイは、機能に従ってゲートウェイ制御プレーン（GW-C：gateway  control  plane）と、ゲートウェイ転送プレーン（GW-U：gateway  forwarding  plane）とに分けられ、GW-CとGW-Uとの間のインタフェースは、Sgとして規定される。課金処理では、GW-Cは、ユーザアクセス、ポリシー制御及び課金請求管理を実施し、GW-Uは、主にデータを転送し、制御プレーンにより配信される制御及び第１の課金ポリシーを実行する役目をする。しかし、Sgインタフェースに通信障害が生じた場合、GW-Uは、請求書（charging  bill）を生成するためにSgインタフェースを通じて収集した課金情報（charging  information）をGW-Cに送信することができず、これにより、課金情報が失われることをもたらす。
【課題を解決するための手段】
【０００７】
本発明の実施例は、システムの障害回復機能が向上可能になり、課金の信頼性が確保可能になるような、課金情報処理方法及びゲートウェイデバイスを提供する。
【０００８】
第１の態様によれば、課金情報処理方法が提供され、ゲートウェイ転送プレーンに、課金情報を識別するために使用される課金情報識別情報セットを送信し、ゲートウェイ転送プレーンにより送信された第１の課金情報を保存し、ただし、第１の課金情報は、第１の課金情報識別情報を伝達し、第１の課金情報識別情報は、課金情報識別情報セットの要素であり、ゲートウェイ転送プレーンにより保存されている、ゲートウェイ転送プレーンにより送信された第２の課金情報を受信し、ただし、第２の課金情報は、第２の課金情報識別情報を伝達し、第２の課金情報識別情報は、課金情報識別情報セットの要素であり、第１の課金情報識別情報及び第２の課金情報識別情報に従って、第１の課金情報と第２の課金情報とを組み合わせることを含む。
【０００９】
第１の可能な実装方法では、第１の課金情報識別情報及び第２の課金情報識別情報に従って、第１の課金情報と第２の課金情報とを組み合わせることは、特に、第１の課金情報識別情報と第２の課金情報識別情報との間の対応に従って、第１の課金情報と第２の課金情報とを組み合わせるように実施されてもよい。
【００１０】
第１の態様又は第１の態様の第１の可能な実装方法と組み合わせて、第２の可能な実装方法では、ゲートウェイ転送プレーンにより送信された第１の課金情報を保存することは、特に、ゲートウェイ転送プレーンへのリンクに障害が発生したことが検出された場合、第１の課金情報を保存するように実施されてもよく、ゲートウェイ転送プレーンにより保存されている、ゲートウェイ転送プレーンにより送信された第２の課金情報を受信することは、特に、ゲートウェイ転送プレーンへのリンクが回復したことが検出された場合、ゲートウェイ転送プレーンにより保存されている、ゲートウェイ転送プレーンにより送信された第２の課金情報を受信するように実施されてもよい。
【００１１】
第１の態様又は第１の態様の第１の可能な実装方法と組み合わせて、第３の可能な実装方法では、ゲートウェイ転送プレーンにより送信された第１の課金情報を保存することは、特に、第１のメッセージをゲートウェイ転送プレーンに送信し、同時に第１の課金情報を保存し、ただし、第１のメッセージは、ゲートウェイ転送プレーンに対して第２の課金情報を保存するように命令するために使用されるように実施されてもよい。
【００１２】
第３の可能な実装方法に従って、第４の可能な実装方法では、ゲートウェイ転送プレーンにより保存されている、ゲートウェイ転送プレーンにより送信された第２の課金情報を受信する前に、この方法は、特に、第２のメッセージをゲートウェイ転送プレーンに送信し、ただし、第２のメッセージは、ゲートウェイ転送プレーンに対して第２の課金情報を送信するように命令するために使用されるように実施されてもよい。
【００１３】
第１の態様又は第１の態様の第１の可能な実装方法、第２の可能な実装方法、第３の可能な実装方法若しくは第４の可能な実装方法と組み合わせて、第５の可能な実装方法では、第１の課金情報識別情報及び第２の課金情報識別情報に従って、第１の課金情報と第２の課金情報とを組み合わせることは、特に、第１の課金情報と第２の課金情報との組み合わせに成功した場合、請求書を生成し、第１の課金情報と第２の課金情報との組み合わせに失敗した場合、課金情報が失われたことを記録するように、又はゲートウェイ転送プレーンが要求メッセージに従って第１の課金情報に一致する第３の課金情報を検索するために、第１の課金情報識別情報を含む要求メッセージをゲートウェイ転送プレーンに送信するように実施されてよい。
【００１４】
第５の可能な実装方法に従って、第６の可能な実装方法では、ゲートウェイ転送プレーンが要求メッセージに従って第１の課金情報に一致する第３の課金情報を検索するために、第１の課金情報識別情報を含む要求メッセージをゲートウェイ転送プレーンに送信することは、特に、ゲートウェイ転送プレーンが第３の課金情報を見つけた場合、ゲートウェイ転送プレーンにより送信された第３の課金情報を受信し、ただし、第３の課金情報は、第３の課金情報識別情報を伝達し、第３の課金情報識別情報は、課金情報識別情報セットの要素であり、第１の課金情報識別情報及び第３の課金情報識別情報に従って、第１の課金情報と第３の課金情報とを組み合わせ、ゲートウェイ転送プレーンが第３の課金情報を見つけなかった場合、ゲートウェイ転送プレーンにより送信された第３のメッセージを受信し、ただし、第３のメッセージは、課金情報が失われたことを示すために使用されるように実施されてもよい。
【００１５】
第１の態様又は第１の態様の第１の可能な実装方法、第２の可能な実装方法、第３の可能な実装方法、第４の可能な実装方法、第５の可能な実装方法若しくは第６の可能な実装方法と組み合わせて、第７の可能な実装方法では、この方法は、特に、課金情報識別情報セットの要素が、ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを含むように実施されてもよい。
【００１６】
第２の態様では、課金情報処理方法が提供され、課金情報を識別するために使用される、ゲートウェイ制御プレーンにより送信された課金情報識別情報セットを受信し、第１の課金情報をゲートウェイ制御プレーンに送信し、ただし、第１の課金情報は、第１の課金情報識別情報を伝達し、第１の課金情報識別情報は、課金情報識別情報セットの要素であり、第２の課金情報を保存し、ゲートウェイ制御プレーンが第１の課金情報識別情報及び第２の課金情報識別情報に従って、第１の課金情報と第２の課金情報とを組み合わせるために、第２の課金情報をゲートウェイ制御プレーンに送信し、ただし、第２の課金情報は、第２の課金情報識別情報を伝達し、第２の課金情報識別情報は、課金情報識別情報セットの要素であることを含む。
【００１７】
第１の可能な実装方法では、第２の課金情報を保存することは、特に、ゲートウェイ制御プレーンへのリンクに障害が発生したことが検出された場合、第２の課金情報を保存するように実施されてもよく、第２の課金情報をゲートウェイ制御プレーンに送信することは、特に、ゲートウェイ制御プレーンへのリンクが回復したことが検出された場合、第２の課金情報をゲートウェイ制御プレーンに送信するように実施されてもよい。
【００１８】
第２の可能な実装方法では、第２の課金情報を保存する前に、この方法は、特に、ゲートウェイ制御プレーンにより送信された第１のメッセージを受信するように実施されてもよく、第２の課金情報を保存することは、特に、第１のメッセージに従って第２の課金情報を保存するように実施されてもよい。
【００１９】
第２の可能な実装方法に従って、第３の可能な実装方法では、第１のメッセージに従って第２の課金情報を保存した後に、この方法は、特に、ゲートウェイ制御プレーンにより送信された第２のメッセージを受信するように実施されてもよく、第２の課金情報をゲートウェイ制御プレーンに送信することは、特に、第２のメッセージに従って第２の課金情報をゲートウェイ制御プレーンに送信するように実施されてもよい。
【００２０】
第２の態様又は第２の態様の第１の可能な実装方法、第２の可能な実装方法若しくは第３の可能な実装方法と組み合わせて、第４の可能な実装方法では、この方法は、特に、ゲートウェイ制御プレーンにより送信された要求メッセージを受信し、ただし、要求メッセージは、第１の課金情報識別情報を含み、要求メッセージに従って第１の課金情報に一致する第３の課金情報を検索するように実施されてもよい。
【００２１】
第４の可能な実装方法に従って、第５の可能な実装方法では、要求メッセージに従って第１の課金情報に一致する第３の課金情報を検索することは、特に、第３の課金情報が見つかった場合、ゲートウェイ制御プレーンが第１の課金情報識別情報及び第３の課金情報識別情報に従って、第１の課金情報と第３の課金情報とを組み合わせるために、第３の課金情報をゲートウェイ制御プレーンに送信し、ただし、第３の課金情報は、第３の課金情報識別情報を伝達し、第３の課金情報識別情報は、課金情報識別情報セットの要素であり、第３の課金情報が見つからなかった場合、第３のメッセージをゲートウェイ制御プレーンに送信し、ただし、第３のメッセージは、課金情報が失われたことを示すために使用されるように実施される。
【００２２】
第２の態様又は第２の態様の第１の可能な実装方法、第２の可能な実装方法、第３の可能な実装方法、第４の可能な実装方法若しくは第５の可能な実装方法と組み合わせて、第６の可能な実装方法では、この方法は、特に、課金情報識別情報セットの要素が、ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを含むように実施されてもよい。
【００２３】
第３の態様では、課金情報処理方法が提供され、指示識別情報セットをゲートウェイ転送プレーンに送信し、ゲートウェイ転送プレーンにより送信された第４の課金情報を受信し、ただし、第４の課金情報は、指示識別情報を伝達し、指示識別情報は、指示識別情報セットの要素であり、ゲートウェイ転送プレーンへのリンクに障害が発生したことが検出された場合、指示識別情報に従って、第４の課金情報が保存される必要があるか否かを決定することを含む。
【００２４】
第１の可能な実装方法では、指示識別情報セットをゲートウェイ転送プレーンに送信することは、特に、課金ポリシーをゲートウェイ転送プレーンに送信し、ただし、課金ポリシーは、指示識別情報セットを含むように実施されてもよい。
【００２５】
第４の態様では、課金情報処理方法が提供され、ゲートウェイ制御プレーンにより送信された指示識別情報セットを受信し、第４の課金情報をゲートウェイ制御プレーンに送信し、ただし、第４の課金情報は、指示識別情報を伝達し、指示識別情報は、指示識別情報セットの要素であり、ゲートウェイ制御プレーンへのリンクに障害が発生したことが検出された場合、指示識別情報に従って、ゲートウェイ制御プレーンへのリンクに障害が発生した場合に記憶装置に収集された第５の課金情報が保存される必要があるか否かを決定することを含む。
【００２６】
第１の可能な実装方法では、ゲートウェイ制御プレーンにより送信された指示識別情報セットを受信することは、特に、ゲートウェイ制御プレーンにより送信された課金ポリシーを受信し、ただし、課金ポリシーは、指示識別情報セットを含むように実施されてもよい。
【００２７】
第５の態様では、課金情報処理方法が提供され、第１のゲートウェイにより送信された第１の請求書を受信し、第４のメッセージを第１のゲートウェイに送信し、ただし、第４のメッセージは、第１のゲートウェイに対して第２の請求書を保存するように命令するために使用され、第５のメッセージを第１のゲートウェイに送信し、ただし、第５のメッセージは、第１のゲートウェイに対して第２の請求書を送信するように命令するために使用され、第１のゲートウェイにより送信された第２の請求書を受信することを含む。
【００２８】
第１の可能な実装方法では、第４のメッセージが第１のゲートウェイに対して第２の請求書を保存するように命令するために使用される場合、この方法は、特に、第５のメッセージを第１のゲートウェイに送信し、ただし、第５のメッセージは、第１のゲートウェイに対して第２の請求書を送信するように命令するために使用され、第１のゲートウェイにより送信された第２の請求書を受信するように実施されてもよい。
【００２９】
第６の態様では、課金情報処理方法が提供され、第１の請求書を課金ゲートウェイに送信し、課金ゲートウェイにより送信された第４のメッセージを受信し、第４のメッセージに従って第２の請求書を保存すること、又は第４のメッセージに従って第２の請求書の送信を遅延させることを含む。
【００３０】
第１の可能な実装方法では、第４のメッセージに従って第２の請求書を保存した後に、この方法は、特に、課金ゲートウェイにより送信された第５のメッセージを受信し、第５のメッセージに従って第２の請求書を課金ゲートウェイに送信するように実施されてもよい。
【００３１】
第７の態様では、ゲートウェイ制御プレーンが提供され、ゲートウェイ転送プレーンに、課金情報を識別するために使用される課金情報識別情報セットを送信するように構成された送信ユニットと、ゲートウェイ転送プレーンにより送信された第１の課金情報を保存するように構成された記憶装置であり、ただし、第１の課金情報は、第１の課金情報識別情報を伝達し、第１の課金情報識別情報は、課金情報識別情報セットの要素である記憶装置と、ゲートウェイ転送プレーンにより保存されている、ゲートウェイ転送プレーンにより送信された第２の課金情報を受信するように構成された受信ユニットであり、ただし、第２の課金情報は、第２の課金情報識別情報を伝達し、第２の課金情報識別情報は、課金情報識別情報セットの要素である受信ユニットと、第１の課金情報識別情報及び第２の課金情報識別情報に従って、記憶装置により保存された第１の課金情報と受信ユニットにより受信した第２の課金情報とを組み合わせるように構成されたプロセッサとを含む。
【００３２】
第１の可能な実装方法では、プロセッサは、特に、第１の課金情報識別情報と第２の課金情報識別情報との間の対応に従って、記憶装置により保存された第１の課金情報と受信ユニットにより受信した第２の課金情報とを組み合わせるように構成される。
【００３３】
第７の態様又は第７の態様の第１の可能な実装方法と組み合わせて、第２の可能な実装方法では、記憶装置は、特に、ゲートウェイ転送プレーンへのリンクに障害が発生したことを記憶装置が検出した場合、第１の課金情報を保存するように構成され、受信ユニットは、特に、ゲートウェイ転送プレーンへのリンクが回復したことを記憶装置が検出した場合、ゲートウェイ転送プレーンにより保存されている、ゲートウェイ転送プレーンにより送信された第２の課金情報を受信するように構成される。
【００３４】
第７の態様又は第７の態様の第１の可能な実装方法と組み合わせて、第３の可能な実装方法では、記憶装置は、特に、送信ユニットが第１のメッセージをゲートウェイ転送プレーンに送信した場合、第１の課金情報を保存するように構成され、ただし、第１のメッセージは、ゲートウェイ転送プレーンに対して第２の課金情報を保存するように命令するために使用される。
【００３５】
第３の可能な実装方法に従って、第４の可能な実装方法では、送信ユニットは、第２のメッセージをゲートウェイ転送プレーンに送信するように更に構成され、ただし、第２のメッセージは、ゲートウェイ転送プレーンに対して第２の課金情報を送信するように命令するために使用される。
【００３６】
第７の態様又は第７の態様の第１の可能な実装方法、第２の可能な実装方法、第３の可能な実装方法若しくは第４の可能な実装方法と組み合わせて、第５の可能な実装方法では、プロセッサは、第１の課金情報と第２の課金情報との組み合わせに成功した場合、請求書を生成し、第１の課金情報と第２の課金情報との組み合わせに失敗した場合、課金情報が失われたことを記録するように更に構成され、又は送信ユニットは、ゲートウェイ転送プレーンが要求メッセージに従って第１の課金情報に一致する第３の課金情報を検索するために、第１の課金情報識別情報を含む要求メッセージをゲートウェイ転送プレーンに送信するように更に構成される。
【００３７】
第５の可能な実装方法に従って、第６の可能な実装方法では、受信ユニットは、ゲートウェイ転送プレーンが第３の課金情報を見つけた場合、ゲートウェイ転送プレーンにより送信された第３の課金情報を受信するように更に構成され、ただし、第３の課金情報は、第３の課金情報識別情報を伝達し、第３の課金情報識別情報は、課金情報識別情報セットの要素であり、プロセッサは、第１の課金情報識別情報及び第３の課金情報識別情報に従って、第１の課金情報と第３の課金情報とを組み合わせるように更に構成され、受信ユニットは、ゲートウェイ転送プレーンが第３の課金情報を見つけなかった場合、ゲートウェイ転送プレーンにより送信された第３のメッセージを受信するように更に構成され、ただし、第３のメッセージは、課金情報が失われたことを示すために使用される。
【００３８】
第８の態様では、ゲートウェイ転送プレーンが提供され、課金情報を識別するために使用される、ゲートウェイ制御プレーンにより送信された課金情報識別情報セットを受信するように構成された受信ユニットであり、課金情報識別情報セットを第１の送信ユニット及び第２の送信ユニットに送信する受信ユニットと、第１の課金情報をゲートウェイ制御プレーンに送信するように構成された第１の送信ユニットであり、ただし、第１の課金情報は、第１の課金情報識別情報を伝達し、第１の課金情報識別情報は、課金情報識別情報セットの要素である第１の送信ユニットと、第２の課金情報を保存するように構成された記憶装置と、ゲートウェイ制御プレーンが第１の課金情報識別情報及び第２の課金情報識別情報に従って、第１の送信ユニットにより送信された第１の課金情報と第２の送信ユニットにより送信された第２の課金情報とを組み合わせるために、記憶装置に保存された第２の課金情報をゲートウェイ制御プレーンに送信するように構成された第２の送信ユニットであり、ただし、第２の課金情報は、第２の課金情報識別情報を伝達し、第２の課金情報識別情報は、課金情報識別情報セットの要素である第２の送信ユニットとを含む。
【００３９】
第１の可能な実装方法では、記憶装置は、特に、ゲートウェイ制御プレーンへのリンクに障害が発生したことが検出された場合、第２の課金情報を保存するように構成され、第２の送信ユニットは、特に、ゲートウェイ制御プレーンへのリンクが回復したことが検出された場合、第２の課金情報をゲートウェイ制御プレーンに送信するように構成される。
【００４０】
第２の可能な実装方法では、受信ユニットは、ゲートウェイ制御プレーンにより送信された第１のメッセージを受信するように更に構成され、記憶装置は、特に、受信ユニットにより受信した第１のメッセージに従って第２の課金情報を保存するように構成される。
【００４１】
第２の可能な実装方法に従って、第３の可能な実装方法では、受信ユニットは、ゲートウェイ制御プレーンにより送信された第２のメッセージを受信するように更に構成され、第２の送信ユニットは、特に、受信ユニットにより受信した第２のメッセージに従って第２の課金情報をゲートウェイ制御プレーンに送信するように構成される。
【００４２】
第８の態様又は第８の態様の第１の可能な実装方法、第２の可能な実装方法若しくは第３の可能な実装方法と組み合わせて、第４の可能な実装方法では、受信ユニットは、ゲートウェイ制御プレーンにより送信された要求メッセージを受信するように更に構成され、ただし、要求メッセージは、第１の課金情報識別情報を含み、ゲートウェイ転送プレーンは、要求メッセージに従って第１の課金情報に一致する第３の課金情報を検索するように構成されたプロセッサを更に含む。
【００４３】
第４の可能な実装方法に従って、第５の可能な実装方法では、プロセッサが第３の課金情報を見つけて第３の課金情報を第２の送信ユニットに送信した場合、第２の送信ユニットは、ゲートウェイ制御プレーンが第１の課金情報識別情報及び第３の課金情報識別情報に従って、第１の課金情報と第３の課金情報とを組み合わせるために、第３の課金情報をゲートウェイ制御プレーンに送信するように更に構成され、ただし、第３の課金情報は、第３の課金情報識別情報を伝達し、第３の課金情報識別情報は、課金情報識別情報セットの要素であり、プロセッサが第３の課金情報を見つけなかった場合、第２の送信ユニットは、第３のメッセージをゲートウェイ制御プレーンに送信するように更に構成され、ただし、第３のメッセージは、課金情報が失われたことを示すために使用される。
【００４４】
第９の態様では、ゲートウェイ制御プレーンが提供され、指示識別情報セットをゲートウェイ転送プレーンに送信するように構成された送信ユニットと、ゲートウェイ転送プレーンにより送信された第４の課金情報を受信するように構成された受信ユニットであり、ただし、第４の課金情報は、指示識別情報を伝達し、指示識別情報は、指示識別情報セットの要素である受信ユニットと、ゲートウェイ転送プレーンへのリンクに障害が発生したことが検出された場合、指示識別情報に従って、受信ユニットにより受信した第４の課金情報が保存される必要があるか否かを決定するように構成されたプロセッサとを含む。
【００４５】
第１の可能な実装方法では、送信ユニットは、特に、課金ポリシーをゲートウェイ転送プレーンに送信するように構成され、ただし、課金ポリシーは、指示識別情報セットを含む。
【００４６】
第１０の態様では、ゲートウェイ転送プレーンが提供され、ゲートウェイ制御プレーンにより送信された指示識別情報セットを受信するように構成された受信ユニットと、第４の課金情報をゲートウェイ制御プレーンに送信するように構成された送信ユニットであり、ただし、第４の課金情報は、指示識別情報を伝達し、指示識別情報は、受信ユニットにより受信した指示識別情報セットの要素である送信ユニットと、ゲートウェイ制御プレーンへのリンクに障害が発生したことが検出された場合、受信ユニットにより受信した指示識別情報セットに従って、ゲートウェイ制御プレーンへのリンクに障害が発生した場合に記憶装置に収集された第５の課金情報が保存される必要があるか否かを決定するように構成されたプロセッサとを含む。
【００４７】
第１の可能な実装方法では、受信ユニットは、特に、ゲートウェイ制御プレーンにより送信された課金ポリシーを受信するように構成され、ただし、課金ポリシーは、指示識別情報セットを含む。
【００４８】
第１１の態様では、課金ゲートウェイが提供され、第１のゲートウェイにより送信された第１の請求書を受信するように構成された受信ユニットと、第４のメッセージを第１のゲートウェイに送信するように構成された送信ユニットであり、ただし、第４のメッセージは、第１のゲートウェイに対して第２の請求書を保存するように命令するため、又は第１のゲートウェイに対して第２の請求書の送信を遅延させるように命令するために使用される送信ユニットとを含む。
【００４９】
第１の可能な実装方法では、送信ユニットは、第５のメッセージを第１のゲートウェイに送信するように更に構成され、ただし、第５のメッセージは、第１のゲートウェイに対して第２の請求書を送信するように命令するために使用され、受信ユニットは、第１のゲートウェイにより送信された第２の請求書を受信するように更に構成される。
【００５０】
第１２の態様では、ゲートウェイが提供され、第１の請求書を課金ゲートウェイに送信するように構成された送信ユニットと、課金ゲートウェイにより送信された第４のメッセージを受信するように構成された受信ユニットと、受信ユニットにより受信した第４のメッセージに従って第２の請求書を保存するように、又は第４のメッセージに従って第２の請求書の送信を遅延させるように構成された記憶装置とを含む。
【００５１】
第１の可能な実装方法では、受信ユニットは、課金ゲートウェイにより送信された第５のメッセージを受信するように更に構成され、送信ユニットは、受信ユニットにより受信した第５のメッセージに従って第２の請求書を課金ゲートウェイに送信するように更に構成される。
【００５２】
本発明の実施例では、ゲートウェイ制御プレーンは、課金情報識別情報セットをゲートウェイ転送プレーンに送信し、課金情報識別情報セットの要素を通じて、ゲートウェイ転送プレーンは、請求書を生成するために、それぞれゲートウェイ制御プレーン及びゲートウェイ転送プレーンにより保存された第１の課金情報及び第２の課金情報を組み合わせてもよい。従って、障害回復機能が効果的に向上可能になり、課金の信頼性が確保可能になる。
【図面の簡単な説明】
【００５３】
【図１】本発明の実施例による課金情報処理方法のフローチャート
【図２】本発明の他の実施例による課金情報処理方法のフローチャート
【図３】本発明の他の実施例による課金情報処理方法の処理の概略フローチャート
【図４】本発明の他の実施例による課金情報処理方法の処理の概略フローチャート
【図５】本発明の他の実施例による課金情報処理方法の処理の概略フローチャート
【図６】本発明の実施例による課金情報処理方法のフローチャート
【図７】本発明の他の実施例による課金情報処理方法のフローチャート
【図８】本発明の他の実施例による課金情報処理方法の処理の概略フローチャート
【図９】本発明の実施例による課金情報処理方法のフローチャート
【図１０】本発明の他の実施例による課金情報処理方法のフローチャート
【図１１】本発明の他の実施例による課金情報処理方法の処理の概略フローチャート
【図１２】本発明の実施例によるデバイスのブロック図
【図１３】本発明の実施例によるゲートウェイ制御プレーンの構成ブロック図
【図１４】本発明の実施例によるゲートウェイ転送プレーンの構成ブロック図
【図１５】本発明の実施例によるゲートウェイ制御プレーンの構成ブロック図
【図１６】本発明の他の実施例によるゲートウェイ転送プレーンの構成ブロック図
【図１７】本発明の実施例による課金ゲートウェイの構成ブロック図
【図１８】本発明の実施例による第１のゲートウェイの構成ブロック図
【発明を実施するための形態】
【００５４】
本発明の実施例の技術的対策を明瞭に説明するために、実施例又は従来技術を説明するために必要な添付図面について以下に簡単に紹介する。明らかに、以下の説明において、添付図面は単なる本発明のいくつかの実施例を示しているに過ぎず、当業者は、創造的取り組みを行うことなく、これらの添付図面から他の図面を導くことができる。
【００５５】
本発明の実施例の技術的対策について、本発明の実施例の添付図面を参照して以下に明瞭且つ完全に説明する。明らかに、説明する実施例は本発明の全てではなく、一部に過ぎない。創造的取り組みを行うことなく本発明の実施例に基づいて当業者により得られる全ての他の実施例は、本発明の保護範囲内に入るものとする。
【００５６】
本発明の技術的対策は、様々な種類の通信システム（例えば、GSM（登録商標）（Global  System  of  Mobile  communication）、CDMA（Code  Division  Multiple  Access）システム、WCDSMA（Wideband  Code  Division  Multiple  Access）システム、GPRS（General  Packet  Radio  Service）システム、及びLTE（Long  Term  Evolution）システム）に適用可能である。
【００５７】
例えば、本発明の技術的対策は、2G／3GネットワークのSGSN若しくはGGSN、又はSAEアーキテクチャのS-GW若しくはP-GWのように制御プレーン及び転送プレーンにより分離されたデバイスに適用可能である。
【００５８】
当業者が本発明の実施例を理解するのを助けるために、3GPPの進化したネットワークにおけるSAEアーキテクチャの統一ゲートウェイ制御プレーンUGW-Cがゲートウェイ制御プレーンとして使用され、統一ゲートウェイ転送プレーンUGW-Uがゲートウェイ転送プレーンとして使用されるものが、説明の例として挙げられる。本発明の実施例はこれに限定されず、ネットワーク制御プレーン及び転送プレーンにより分離された他のゲートウェイデバイスも適用可能である点に留意すべきである。
【００５９】
図１は、本発明の実施例による課金情報処理方法のフローチャートである。図１に示す方法は、ゲートウェイ制御プレーンにより実行されてもよい。
【００６０】
101：ゲートウェイ転送プレーンに、課金情報を識別するために使用される課金情報識別情報セットを送信する。
【００６１】
102：ゲートウェイ転送プレーンにより送信された第１の課金情報を保存する。ただし、第１の課金情報は、第１の課金情報識別情報を伝達し、第１の課金情報識別情報は、課金情報識別情報セットの要素である。
【００６２】
103：ゲートウェイ転送プレーンにより保存されている、ゲートウェイ転送プレーンにより送信された第２の課金情報を受信する。ただし、第２の課金情報は、第２の課金情報識別情報を伝達し、第２の課金情報識別情報は、課金情報識別情報セットの要素である。
【００６３】
104：第１の課金情報識別情報及び第２の課金情報識別情報に従って、第１の課金情報と第２の課金情報とを組み合わせる。
【００６４】
本発明の実施例では、ゲートウェイ制御プレーンは、課金情報識別情報セットをゲートウェイ転送プレーンに送信し、課金情報識別情報セットの要素を通じて、ゲートウェイ転送プレーンは、請求書を生成するために、それぞれゲートウェイ制御プレーン及びゲートウェイ転送プレーンにより保存された第１の課金情報及び第２の課金情報を組み合わせてもよい。従って、障害回復機能が効果的に向上可能になり、課金の信頼性が確保可能になる。
【００６５】
任意選択で、課金情報識別情報セットの要素は、ゲートウェイ制御プレーンにより生成された値、ユーザ装置識別情報UE  ID、ユーザ装置アドレスUE  IP、UEエントリーインデックス及びコンテキストインデックスのうち１つ又はいずれかの組み合わせを含んでもよい。課金情報の識別情報の選択肢及び課金情報を識別する方法は、本発明の実施例において限定されないことが分かる。
【００６６】
任意選択で、他の例として、課金ポリシーがゲートウェイ転送プレーンに送信されてもよい。ただし、課金ポリシーは、課金情報識別情報セットを含む。課金ポリシーは、ゲートウェイ制御プレーンで構成されてもよく、PCRF（Policy  and  Charging  Rules  Function）によりゲートウェイ制御プレーンに能動的に配信されてもよい。これは本発明において限定されない。
【００６７】
任意選択で、他の実施例として、ステップ102において、ゲートウェイ転送プレーンにより送信された第１の課金情報は、ゲートウェイ制御プレーンとゲートウェイ転送プレーンへのリンクに障害が発生したことが検出された場合、保存されてもよい。ただし、第１の課金情報は、課金情報識別情報セットの要素を伝達する。ステップ103において、ゲートウェイ転送プレーンにより保存されている、ゲートウェイ転送プレーンにより送信された第２の課金情報は、ゲートウェイ転送プレーンへのリンクが回復したことが検出された場合、受信されてもよい。ただし、第２の課金情報は、課金情報識別情報セットの要素を伝達する。本発明の実施例による課金情報処理方法の非限定的な例について、図３を参照して以下に更に詳細に説明する。
【００６８】
任意選択で、他の実施例として、ステップ102において、第１のメッセージがゲートウェイ転送プレーンに送信されてもよく、受信した第１の課金情報は同時に保存される。ただし、第１のメッセージは、ゲートウェイ転送プレーンに対して第１のメッセージが受信された後に収集された第２の課金情報を保存するように命令するために使用される。更に、ステップ103の前に、第２のメッセージがゲートウェイ転送プレーンに送信される。ただし、第２のメッセージは、ゲートウェイ転送プレーンに対して第２の課金情報を送信するように命令するために使用され、第２の課金情報は、第２の課金情報識別情報を伝達し、第２の課金情報識別情報は、第２の課金情報識別情報セットの要素である。従って、ゲートウェイ制御プレーンとゲートウェイ転送プレーンとの間のリンクに障害が発生した場合、ゲートウェイ制御プレーン及びゲートウェイ転送プレーンの双方は、適時に課金情報を保存し、これにより、課金情報の紛失が生じない。このように、システムの障害回復機能が向上する。本発明の実施例による課金情報処理方法の非限定的な例について、図４を参照して以下に更に詳細に説明する。
【００６９】
ゲートウェイ転送プレーン及び／又はゲートウェイ制御プレーンが課金情報を保存する決定方法は、本発明の実施例において限定されない点に留意すべきである。すなわち、ゲートウェイ転送プレーン及び／又はゲートウェイ制御プレーンによる課金情報の保存を決定するのにどのような方法に基づいていたとしても、本発明の実施例の範囲内に入るものとする。
【００７０】
任意選択で、他の実施例として、ステップ104において、第１の課金情報及び第２の課金情報は、第１の課金情報識別情報と第２の課金情報識別情報との間の対応に従って組み合わされる。例えば、第１の課金情報識別情報はゲートウェイ制御プレーンにより生成された値5であり、第２の課金情報により伝達された第２の課金情報識別情報も5である場合、すなわち、第１の課金情報識別情報及び第２の課金情報識別情報が一致した場合、第１の課金情報及び第２の課金情報は組み合わされる。他の例として、第１の課金情報識別情報がゲートウェイ転送プレーンにより生成された値2及びUE  ID  hであり、第２の課金情報で伝達された第２の課金情報識別情報に記録されたUE  IDがhである場合、第１の課金情報及び第２の課金情報は組み合わされる。更に他の例では、ゲートウェイ制御プレーンは、生成された値2がUE  ID  hに一致することを予め設定し、一致についてゲートウェイ転送プレーンに通知する。第１の課金情報識別情報がゲートウェイ制御プレーンにより生成された値2であり、第２の課金情報で伝達された第２の課金情報識別情報に記録されたUE  IDがhである場合、第１の課金情報及び第２の課金情報は組み合わされてもよい。
【００７１】
第１の課金情報識別情報の数及び第２の課金情報識別情報の数は１つでもよく、複数でもよいことが分かる。第１の課金情報識別情報の数及び第２の課金情報識別情報の数は、等しくてもよく、等しくなくてもよい。これは、本発明の実施例において限定されない。更に、ゲートウェイ制御プレーンが第１の課金情報識別情報と第２の課金情報識別情報との間の対応に従って第１の課金情報と第２の課金情報とを組み合わせる方法は、本発明の実施例において限定されない。
【００７２】
任意選択で、実施例として、ステップ104において、第１の課金情報と第２の課金情報との組み合わせに成功した場合、請求書が生成され、請求書が課金ゲートウェイに送信されてもよく、請求書がまず保存されてもよい。例えば、ゲートウェイ制御プレーンと課金ゲートウェイとの間のリンクに障害が発生したことが検出された場合、請求書が保存される。或いは、請求書が課金ゲートウェイにより送信された指示に従って保存される。本発明の実施例による課金情報処理方法の非限定的な例について、図１１を参照して以下に更に詳細に説明する。
【００７３】
任意選択で、他の実施例として、ステップ104において、第１の課金情報と第２の課金情報とが組み合わされ、組み合わせに失敗した場合、課金情報が失われたことが記録されてもよく、及び／又は第２の課金情報が直接的に破棄される。或いは、ゲートウェイ転送プレーンが要求メッセージに従って第１の課金情報に一致する第３の課金情報を検索するために、第１の課金情報識別情報を含む要求メッセージがゲートウェイ転送プレーンに送信される。
【００７４】
更に、ゲートウェイ転送プレーンが第３の課金情報を見つけた場合、ゲートウェイ転送プレーンにより送信された第３の課金情報が受信される。ただし、第３の課金情報は、第３の課金情報識別情報を伝達し、第１の課金情報及び第３の課金情報は、第１の課金情報識別情報及び第３の課金情報識別情報に従って組み合わされる。更に、第１の課金情報識別情報と第３の課金情報識別情報との間の対応に従って第１の課金情報と第３の課金情報とを組み合わせる実装方法が前述に記載されており、詳細はここでは繰り返さない。課金情報識別情報セットの要素の数は１つでもよく、複数でもよいことが分かる。これは、本発明の実施例において限定されない。例えば、第３の課金情報識別情報は、ゲートウェイ制御プレーンにより生成された値、ユーザ装置識別情報UE  ID、ユーザ装置アドレスUE  IP、UEエントリーインデックス及びコンテキストインデックスのうち１つ又はいずれかの組み合わせを含んでもよい。ゲートウェイ転送プレーンが第３の課金情報を見つけなかった場合、ゲートウェイ転送プレーンにより送信された第３のメッセージが受信される。ただし、第３のメッセージは、課金情報が失われたことを示すために使用される。本発明の実施例による課金情報処理方法の非限定的な例について、図５を参照して以下に更に詳細に説明する。
【００７５】
本発明の実施例では、ゲートウェイ転送プレーンが一致する課金情報を検索し、一致する課金情報をゲートウェイ制御プレーンに送信するために、ゲートウェイ制御プレーンは、要求メッセージをゲートウェイ転送プレーンに能動的に送信する。このように、システムの耐障害性機能が効果的に向上可能になり、課金の信頼性が確保可能になる。
【００７６】
図２は、本発明の他の実施例による課金情報処理方法のフローチャートである。図２に示す方法は、ゲートウェイ転送プレーンにより実行され、図１に示す方法に対応する。従って、図１に示す実施例のものと同じ説明は適宜省略される。
【００７７】
201：課金情報を識別するために使用される、ゲートウェイ制御プレーンにより送信された課金情報識別情報セットを受信する。
【００７８】
202：第１の課金情報をゲートウェイ制御プレーンに送信する。ただし、第１の課金情報は、第１の課金情報識別情報を伝達し、第１の課金情報識別情報は、課金情報識別情報セットの要素である。
【００７９】
203：第２の課金情報を保存する。
【００８０】
204：ゲートウェイ制御プレーンが第１の課金情報識別情報及び第２の課金情報識別情報に従って、第１の課金情報と第２の課金情報とを組み合わせるために、第２の課金情報をゲートウェイ制御プレーンに送信する。ただし、第２の課金情報は、第２の課金情報識別情報を伝達し、第２の課金情報識別情報は、課金情報識別情報セットの要素である。
【００８１】
任意選択で、課金情報識別情報セットの要素は、ゲートウェイ制御プレーンにより生成された値、ユーザ装置識別情報UE  ID、ユーザ装置アドレスUE  IP、UEエントリーインデックス及びコンテキストインデックスのうち１つ又はいずれかの組み合わせを含んでもよい。課金情報の識別情報の選択肢及び課金情報を識別する方法は、本発明の実施例において限定されないことが分かる。
【００８２】
任意選択で、他の例として、ゲートウェイ制御プレーンにより送信された課金ポリシーが受信されてもよい。ただし、課金ポリシーは、課金情報識別情報セットを含む。
課金ポリシーは、ゲートウェイ制御プレーンで構成されてもよく、PCRFによりゲートウェイ制御プレーンに能動的に配信されてもよい。これは本発明において限定されない。
【００８３】
任意選択で、他の実施例として、ステップ203において、将来の期間にゲートウェイ転送プレーンにより収集される第２の課金情報は、ゲートウェイ制御プレーンへのリンクに障害が発生したことが検出された場合、保存され始めてもよく、ステップ204において、第２の課金情報は、ゲートウェイ制御プレーンへのリンクが回復したことが検出された場合、ゲートウェイ制御プレーンに送信されてもよい。ただし、第２の課金情報は、課金情報識別情報セットの要素を伝達する。本発明の実施例による課金情報処理方法の非限定的な例について、図３に示す例を参照して以下に更に詳細に説明する。
【００８４】
任意選択で、他の実施例として、ステップ203の前に、ゲートウェイ制御プレーンにより送信された第１のメッセージが受信されてもよく、第１のメッセージを受信した後にゲートウェイ転送プレーンにより収集された第２の課金情報は、第１のメッセージに従って保存される。更に、ステップ204の前に、ゲートウェイ制御プレーンにより送信された第２のメッセージが受信され、第２の課金情報は、第２のメッセージに従って送信される、或いは、第２の課金情報は、予め設定された期限に従ってゲートウェイ制御プレーンに送信される。第２の課金情報は、課金情報識別情報セットの要素を伝達する。従って、ゲートウェイ制御プレーンとゲートウェイ転送プレーンとの間のリンクに障害が発生した場合、ゲートウェイ転送プレーンは、適時に課金情報を保存し、これにより、課金情報の紛失が生じない。本発明の実施例による課金情報処理方法の非限定的な例について、図４に示す例を参照して以下に更に詳細に説明する。
【００８５】
ゲートウェイ転送プレーンが課金情報を保存する決定方法は、本発明の実施例において限定されない点に留意すべきである。すなわち、ゲートウェイ転送プレーンによる課金情報の保存を決定するのにどのような方法に基づいていたとしても、本発明の実施例の範囲内に入るものとする。
【００８６】
更に、ゲートウェイ制御プレーンが第１の課金情報と第２の課金情報との組み合わせに失敗した場合、ゲートウェイ転送プレーンは、ゲートウェイ制御プレーンにより送信された要求メッセージを受信する。ただし、要求メッセージは、第１の課金情報識別情報を含み、ゲートウェイ転送プレーンは、要求メッセージに従って第１の課金情報に一致する第３の課金情報を検索する。更に、第３の課金情報が見つかった場合、ゲートウェイ制御プレーンが第１の課金情報識別情報及び第３の課金情報識別情報に従って第１の課金情報と第３の課金情報とを組み合わせ、請求書を生成するために、第３の課金情報は、ゲートウェイ制御プレーンに送信され、第３の課金情報は、第３の課金情報識別情報を伝達する。第３の課金情報が見つからなかった場合、第３のメッセージがゲートウェイ制御プレーンに送信される。ただし、第３のメッセージは、課金情報が失われたことを示すために使用される。課金情報識別情報セットの要素の数は１つでもよく、複数でもよいことが分かる。これは、本発明の実施例において限定されない。例えば、第３の課金情報識別情報は、ゲートウェイ制御プレーンにより生成された値、ユーザ装置識別情報UE  ID、ユーザ装置アドレスUE  IP、UEエントリーインデックス及びコンテキストインデックスのうち１つ又はいずれかの組み合わせを含んでもよい。本発明の実施例による課金情報処理方法の非限定的な例について、図５に示す例を参照して以下に詳細に説明する。
【００８７】
本発明の実施例では、ゲートウェイ転送プレーンが要求メッセージに従って一致する課金情報を検索し、一致する課金情報をゲートウェイ制御プレーンに送信するために、ゲートウェイ転送プレーンは、ゲートウェイ制御プレーンにより能動的に送信された要求メッセージを受信する。このように、システムの耐障害性機能が効果的に向上可能になり、課金の信頼性が確保可能になる。
【００８８】
本発明の実施例について、特定の例を参照して以下に詳細に説明する。以下の図３〜図５では、当業者が本発明の実施例を理解するのを助けるために、3GPPの進化したネットワークにおけるSAEアーキテクチャのUGW-Cがゲートウェイ制御プレーンとして使用され、UGW-Uがゲートウェイ転送プレーンとして使用されるものが、説明の例として挙げられる。本発明の実施例はこれに限定されず、ネットワーク制御プレーン及び転送プレーンにより分離された他のゲートウェイデバイスも適用可能である点に留意すべきである。
【００８９】
図３〜図５において、以下では、課金情報識別情報セットの要素の選択肢は単なる例示であり、本発明の実施例を限定することを意図するものではないことが分かる。
【００９０】
図３は、本発明の他の実施例による課金情報処理方法の処理の概略フローチャートである。
【００９１】
301：UGW-Cは、第１の課金ポリシーをUGW-Uに送信する。
【００９２】
第１の課金ポリシーは、課金情報を識別するために使用される課金情報識別情報セットを含む。
【００９３】
任意選択で、課金情報識別情報セットの要素は、UGW-Cにより生成された値、UE  ID（Identification）、UE  IP（Internet  Protocol）アドレス、UEエントリーインデックス及びコンテキストインデックスのうち１つ又はいずれかの組み合わせを含んでもよい。課金情報の識別情報の選択肢及び課金情報を識別する方法は、本発明の実施例において限定されないことが分かる。
【００９４】
302：UGW-Uは、第１の課金情報をUGW-Cに送信する。
【００９５】
ステップ301において、UGW-Cにより送信された第１の課金ポリシーを受信した後に、UGW-Uは、課金情報識別情報セットを取得する。UGW-Uは、対応する第１の課金情報識別情報を収集された第１の課金情報に記録し、第１の課金情報をUGW-Cに送信する。
【００９６】
303：UGW-Cは、Sgインタフェースリンクに障害が発生したことを検出する。
【００９７】
304：UGW-Uは、Sgインタフェースリンクに障害が発生したことを検出する。
【００９８】
UGW-CとUGW-Uとの間のリンクに障害が発生した場合、UGW-C及びUCW-Uの双方は、Sgインタフェースリンクに障害が発生したことを検出する。
【００９９】
305：UGW-Cは、第１の課金情報を保存する。
【０１００】
306：UGW-Uは、第２の課金情報を保存する。
【０１０１】
例えば、UGW-Cは、UGW-Uにより送信され、ステップ302で受信した第１の課金情報を保存する。リンク障害の期間に、UGW-Uは、第２の課金情報を収集し、対応する第２の課金情報識別情報を収集された第２の課金情報に記録し、第２の課金情報を保存する。
【０１０２】
307：UGW-Cは、Sgインタフェースリンクが回復したことを検出する。
【０１０３】
308：UGW-Uは、Sgインタフェースリンクが回復したことを検出する。
【０１０４】
309：UGW-Uは、第２の課金情報を読み取る。
【０１０５】
310：UGW-Uは、第２の課金情報をUGW-Cに送信する。
【０１０６】
UGW-CとUGW-Uとの間のリンクが回復した場合、UGW-C及びUGW-Uの双方は、Sgインタフェースリンクが回復したことを検出する。UGW-Uは、第２の課金情報を読み取り、第２の課金情報をUGW-Cに送信する。ただし、第２の課金情報は、第２の課金情報識別情報を伝達する。
【０１０７】
311：UGW-Cは、第１の課金情報と第２の課金情報とを組み合わせ、請求書を生成する。
【０１０８】
UGW-Cは、第２の課金情報を受信し、第２の課金情報識別情報に従って、UGW-Cによりローカルに保存された第１の課金情報を見つけ、第１の課金情報と第２の課金情報とを組み合わせ、請求書を生成する。例えば、第１の課金情報識別情報は、ゲートウェイ制御プレーンにより生成された値5であり、第２の課金情報で伝達された第２の課金情報識別情報も5である。第１の課金情報識別情報及び第２の課金情報識別情報が一致するため、UGW-Cは、第２の課金情報識別情報5に従って、第２の課金情報に一致し、UGW-Cによりローカルに保存された第１の課金情報を見つけ、第１の課金情報と第２の課金情報とを組み合わせてもよい。
【０１０９】
第１の課金情報識別情報の数及び第２の課金情報識別情報の数は１つでもよく、複数でもよいことが分かる。第１の課金情報識別情報の数及び第２の課金情報識別情報の数は、等しくてもよく、等しくなくてもよい。これは、本発明の実施例において限定されない。更に、UGW-Cが第１の課金情報識別情報と第２の課金情報識別情報との間の対応に従って第１の課金情報と第２の課金情報とを組み合わせる方法は、本発明の実施例において限定されない。
【０１１０】
更に、第１の課金情報と第２の課金情報との組み合わせに成功した場合、請求書が生成される。任意選択で、ステップ312が実行されてもよく、或いは請求書がまず保存されてもよい。例えば、UGW-Cと課金ゲートウェイCGとの間のリンクに障害が発生したことが検出された場合、請求書が保存される。或いは、請求書が課金ゲートウェイにより送信された指示に従って保存される。第１の課金情報と第２の課金情報との組み合わせに失敗した場合、課金情報が失われたことが記録されてもよく、及び／又は第２の課金情報が直接的に破棄される。或いは、UGW-Uが要求メッセージに従って第１の課金情報に一致する第３の課金情報を検索するために、第１の課金情報識別情報を含む要求メッセージがUGW-Uに送信される。
【０１１１】
312：UGW-Cは、請求書をCGに送信する。
【０１１２】
本発明の実施例では、UGW-Cは、第１の課金ポリシーをUGW-Uに送信する。ただし、第１の課金ポリシーは、課金情報識別情報セットを含み、課金情報識別情報を通じて、ゲートウェイ転送プレーンは、リンク障害中に、請求書を生成するために、それぞれUGW-C及びUGW-Uに保存された第１の課金情報と第２の課金情報とを組み合わせてもよい。従って、障害回復機能が向上可能になり、課金の信頼性が確保可能になる。
【０１１３】
図４は、本発明の他の実施例による課金情報処理方法の処理の概略フローチャートである。
【０１１４】
401：UGW-Cは、第１の課金ポリシーをUGW-Uに送信する。
【０１１５】
第１の課金ポリシーは、課金情報を識別するために使用される課金情報識別情報セットを含む。
【０１１６】
任意選択で、課金情報識別情報セットの要素は、UGW-Cにより生成された値、UE  ID（Identification）、UE  IP（Internet  Protocol）アドレス、UEエントリーインデックス及びコンテキストインデックスのうち１つ又はいずれかの組み合わせを含んでもよい。課金情報の識別情報の選択肢及び課金情報を識別する方法は、本発明の実施例において限定されないことが分かる。
【０１１７】
402：UGW-Uは、第１の課金情報をUGW-Cに送信する。
【０１１８】
ステップ401において、UGW-Cにより送信された第１の課金ポリシーを受信した後に、UGW-Uは、課金情報識別情報セットを取得する。UGW-Uは、対応する第１の課金情報識別情報を収集された第１の課金情報に記録し、第１の課金情報をUGW-Cに送信する。
【０１１９】
403：UGW-Cは、UGW-Uに対して課金情報を保存するように命令する第１のメッセージをUGW-Uに送信する。
【０１２０】
404：UGW-Cは、第１の課金情報を保存する。
【０１２１】
405：UGW-Uは、第２の課金情報を保存する。
【０１２２】
例えば、UGW-Cは、UGW-Uに対して課金情報を保存するように指示する第１のメッセージをUGW-Uに送信し、同時に受信した第１の課金情報を保存する。UGW-Uは、第１のメッセージに従って、第１のメッセージが受信された後に収集された第２の課金情報を保存する。対応する第２の課金情報識別情報は、収集された第２の課金情報に記録される。
【０１２３】
従って、UGW-CとUGW-Uとの間のリンクに障害が発生した場合、ゲートウェイ制御プレーン及びゲートウェイ転送プレーンの双方は、適時に課金情報を保存し、これにより、課金情報の紛失が生じない。このように、システムの障害回復機能が向上する。
【０１２４】
406：UGW-Cは、UGW-Uに対して課金情報を送信するように命令する第２のメッセージをUGW-Uに送信する。
【０１２５】
407：UGW-Uは、第２の課金情報を読み取る。
【０１２６】
408：UGW-Uは、第２の課金情報をUGW-Cに送信する。
【０１２７】
例えば、第２のメッセージは、UGW-Uに送信される。ただし、第２のメッセージは、UGW-Uに対して第２の課金情報を送信するように命令するために使用される。UGW-Uは、第２のメッセージに従って第２の課金情報を読み取り、第２の課金情報をUGW-Cに送信する。ただし、第２の課金情報は、第２の課金情報識別情報を伝達する。
【０１２８】
409：UGW-Cは、第１の課金情報と第２の課金情報とを組み合わせ、請求書を生成する。
【０１２９】
UGW-Cは、第２の課金情報を受信し、第２の課金情報識別情報に従って、UGW-Cによりローカルに保存された第１の課金情報を見つけ、第１の課金情報と第２の課金情報とを組み合わせ、請求書を生成する。UGW-Cは、課金情報識別情報セットの要素の間の対応を予め設定し、対応をUGW-Uに通知してもよい。例えば、UGW-Cにより生成された値2は、UE  ID  hに一致する。第１の課金情報識別情報がUGW-Cにより生成された値2であり、第２の課金情報で伝達された第２の課金情報識別情報がUE  ID  hである場合、第１の課金情報識別情報は第２の課金情報識別情報に対応しているため、UGW-Cは、第２の課金情報識別情報hに従って、第２の課金情報に一致し、UGW-Cによりローカルに保存された第１の課金情報を見つけ、第１の課金情報と第２の課金情報とを組み合わせてもよい。
【０１３０】
第１の課金情報識別情報の数及び第２の課金情報識別情報の数は１つでもよく、複数でもよいことが分かる。第１の課金情報識別情報の数及び第２の課金情報識別情報の数は、等しくてもよく、等しくなくてもよい。これは、本発明の実施例において限定されない。更に、UGW-Cが第１の課金情報識別情報と第２の課金情報識別情報との間の対応に従って第１の課金情報と第２の課金情報とを組み合わせる方法は、本発明の実施例において限定されない。
【０１３１】
更に、第１の課金情報と第２の課金情報との組み合わせに成功した場合、請求書が生成される。任意選択で、ステップ410が実行されてもよく、或いは請求書がまず保存されてもよい。例えば、UGW-Cと課金ゲートウェイCGとの間のリンクに障害が発生したことが検出された場合、請求書が保存される。或いは、請求書が課金ゲートウェイにより送信された指示に従って保存される。第１の課金情報と第２の課金情報との組み合わせに失敗した場合、課金情報が失われたことが記録されてもよく、及び／又は第２の課金情報が直接的に破棄される。或いは、UGW-Uが要求メッセージに従って第１の課金情報に一致する第３の課金情報を検索するために、第１の課金情報識別情報を含む要求メッセージがUGW-Uに送信される。
【０１３２】
410：UGW-Cは、請求書をCGに送信する。
【０１３３】
本発明の実施例では、UGW-Cは、第１の課金ポリシーをUGW-Uに送信する。ただし、第１の課金ポリシーは、課金情報識別情報セットを含む。課金情報識別情報を通じて、ゲートウェイ転送プレーンは、請求書を生成するために、それぞれUGW-C及びUGW-Uに保存された第１の課金情報と第２の課金情報とを組み合わせてもよい。従って、障害回復機能が向上可能になり、課金の信頼性が確保可能になる。
【０１３４】
図５は、本発明の他の実施例による課金情報処理方法の処理の概略フローチャートである。図５において、図３と同一又は同様の処理は、同じシンボルで表されており、対応する説明は省略される。図５の処理301〜310は、図３のものと同様である。図５と図３の違いは以下にある。
【０１３５】
511：UGW-Cは、第１の課金情報と第２の課金情報との組み合わせに失敗する。
【０１３６】
例えば、UGW-Cが第１の課金情報と第２の課金情報との組み合わせに失敗した場合、課金情報が失われたことが記録されてもよく、及び／又は第２の課金情報が直接的に破棄される。或いは、ステップ512が実行される。
【０１３７】
512：UGW-Cは、要求メッセージをUGW-Uに送信する。
【０１３８】
要求メッセージは、UGW-Uに送信される。ただし、要求メッセージは、第１の課金情報識別情報を含む。
【０１３９】
513：UGW-Uは、第３の課金情報を検索する。
【０１４０】
UGW-Uは、UGW-Cにより送信され、ステップ512で受信した要求メッセージに従って、第１の課金情報に一致する第３の課金情報を検索する。
【０１４１】
514a：UGW-Uは、第３の課金情報をUGW-Cに送信する。
【０１４２】
515：UGW-Cは、第１の課金情報と第３の課金情報とを組み合わせ、請求書を生成する。
【０１４３】
516：UGW-Cは、請求書をCGに送信する。
【０１４４】
任意選択で、UGW-Uが第３の課金情報を見つけた場合、UGW-Cは、UGW-Uにより送信された第３の課金情報を受信する。ただし、第３の課金情報は、第３の課金情報識別情報を伝達する。また、第１の課金情報識別情報及び第３の課金情報識別情報に従って、第１の課金情報と第３の課金情報とを組み合わせる。第１の課金情報識別情報と第３の課金情報識別情報との間の対応に従って第１の課金情報と第２の課金情報とを組み合わせる実装方法について、第１の課金情報識別情報と第２の課金情報識別情報との間の対応に従って第１の課金情報と第２の課金情報とを組み合わせる実装方法に参照が行われてもよく、ここでは繰り返されない。
【０１４５】
第１の課金情報と第３の課金情報との組み合わせに成功した場合、請求書が生成される。任意選択で、UGW-Cは、請求書をCGに送信する。或いは、UGW-Cは、請求書をまず保存されてもよい。例えば、UGW-Cと課金ゲートウェイCGとの間のリンクに障害が発生したことが検出された場合、請求書が保存される。
【０１４６】
第１の課金情報識別情報の数及び第３の課金情報識別情報の数は１つでもよく、複数でもよいことが分かる。第１の課金情報識別情報の数及び第３の課金情報識別情報の数は、等しくてもよく、等しくなくてもよい。これは、本発明の実施例において限定されない。更に、U-GW-Cが第１の課金情報識別情報と第３の課金情報識別情報との間の対応に従って第１の課金情報と第３の課金情報とを組み合わせる方法は、本発明の実施例において限定されない。
【０１４７】
514b：UGW-Uは、課金情報が失われたという指示をUGW-Cに送信する。
【０１４８】
任意選択で、UGW-Uが第３の課金情報を見つけなかった場合、UGW-Cは、UGW-Uにより送信された第３のメッセージを受信する。ただし、第３のメッセージは、課金情報が失われたことを示すために使用される。
【０１４９】
本発明の実施例では、UGW-Uが要求メッセージに従って一致する課金情報を検索し、一致する課金情報をUGW-Cに送信するために、UGW-Uは、UGW-Cにより能動的に送信された要求メッセージを受信する。このように、システムの耐障害性機能が効果的に向上可能になり、課金の信頼性が確保可能になる。
【０１５０】
図６は、本発明の他の実施例による課金情報処理方法のフローチャートである。図６に示す方法は、ゲートウェイ制御プレーンにより実行される。
【０１５１】
601：指示識別情報セットをゲートウェイ転送プレーンに送信する。
【０１５２】
602：ゲートウェイ転送プレーンにより送信された第４の課金情報を受信する。ただし、第４の課金情報は、指示識別情報を伝達し、指示識別情報は、指示識別情報セットの要素である。
【０１５３】
603：ゲートウェイ転送プレーンへのリンクに障害が発生したことが検出された場合、指示識別情報に従って、第４の課金情報が保存される必要があるか否かを決定する。
【０１５４】
任意選択で、実施例として、ゲートウェイ転送プレーンへのリンクに障害が発生したことが検出された場合、ゲートウェイ制御プレーンは、指示識別情報に従って、ゲートウェイ転送プレーンにより送信された何人かのユーザの課金情報を保存しなくてもよく、及び／又は指示識別情報に従って、ゲートウェイ転送プレーンにより送信された特定の種類のデータサービスの課金情報を保存しなくてもよい。或いは、ゲートウェイ制御プレーンは、指示識別情報に従って、ゲートウェイ転送プレーンにより送信された何人かのユーザの課金情報のみを保存してもよく、及び／又は指示識別情報に従って、ゲートウェイ転送プレーンにより送信された特定の種類のデータサービスの課金情報のみを保存してもよい。指示識別情報の指示方法は、本発明の実施例において限定されないことが分かる。
【０１５５】
任意選択で、他の実施例として、課金ポリシーがゲートウェイ転送プレーンに送信されてもよい。ただし、課金ポリシーは、指示識別情報を含む。課金ポリシーは、ゲートウェイ制御プレーンで構成されてもよく、PCRFによりゲートウェイ制御プレーンに能動的に配信されてもよい。これは本発明において限定されない。
【０１５６】
本発明の実施例では、指示識別情報の要素の数は１つでもよく、複数でもよいことが分かる。これは、本発明の実施例において限定されない。
【０１５７】
本発明の実施例では、指示識別情報を通じて、ゲートウェイ転送プレーンとゲートウェイ制御プレーンとの間のリンクに障害が発生した場合、ゲートウェイ転送プレーン及びゲートウェイ制御プレーンは、いくつかの課金情報を保存してもよく、保存しなくてもよい。このように、課金の柔軟性が向上する。
【０１５８】
図７は、本発明の他の実施例による課金情報処理方法のフローチャートである。図７に示す方法は、ゲートウェイ転送プレーンにより実行される。
【０１５９】
701：ゲートウェイ制御プレーンにより送信された指示識別情報セットを受信する。
【０１６０】
702：第４の課金情報をゲートウェイ制御プレーンに送信する。ただし、第４の課金情報は、指示識別情報を伝達し、指示識別情報は、指示識別情報セットの要素である。
【０１６１】
703：ゲートウェイ制御プレーンへのリンクに障害が発生したことが検出された場合、指示識別情報に従って、ゲートウェイ制御プレーンへのリンクに障害が発生した場合に記憶装置に収集された第５の課金情報が保存される必要があるか否かを決定する。
【０１６２】
任意選択で、実施例として、ゲートウェイ制御プレーンとゲートウェイ転送プレーンとの間のリンクに障害が発生したことが検出された場合、ゲートウェイ転送プレーンは、指示識別情報に従って、ゲートウェイ制御プレーンへのリンクに障害が発生した場合に記憶装置に収集された何人かのユーザの課金情報を保存しなくてもよく、及び／又は指示識別情報に従って、ゲートウェイ制御プレーンへのリンクに障害が発生した場合に記憶装置に収集された特定の種類のデータサービスの課金情報を保存しなくてもよい。或いは、ゲートウェイ転送プレーンは、指示識別情報に従って、ゲートウェイ制御プレーンへのリンクに障害が発生した場合に記憶装置に収集された何人かのユーザの課金情報のみを保存してもよく、及び／又は指示識別情報に従って、ゲートウェイ制御プレーンへのリンクに障害が発生した場合に記憶装置に収集された特定の種類のデータサービスの課金情報のみを保存してもよい。指示識別情報の指示方法は、本発明の実施例において限定されないことが分かる。
【０１６３】
任意選択で、他の実施例として、ゲートウェイ制御プレーンにより送信された課金ポリシーが受信されてもよい。ただし、課金ポリシーは、指示識別情報を含む。課金ポリシーは、ゲートウェイ制御プレーンで構成されてもよく、PCRFによりゲートウェイ制御プレーンに能動的に配信されてもよい。これは本発明において限定されない。
【０１６４】
本発明の実施例では、指示識別情報の要素の数は１つでもよく、複数でもよいことが分かる。これは、本発明の実施例において限定されない。
【０１６５】
本発明の実施例では、指示識別情報を通じて、ゲートウェイ転送プレーンとゲートウェイ制御プレーンとの間のリンクに障害が発生した場合、ゲートウェイ転送プレーン及びゲートウェイ制御プレーンは、いくつかの課金情報を保存してもよく、保存しなくてもよい。このように、課金の柔軟性が向上する。
【０１６６】
本発明の実施例について、特定の例を参照して以下に詳細に説明する。以下の図８では、当業者が本発明の実施例を理解するのを助けるために、3GPPの進化したネットワークにおけるSAEアーキテクチャのUGW-Cがゲートウェイ制御プレーンとして使用され、UGW-Uがゲートウェイ転送プレーンとして使用されるものが、説明の例として挙げられる。本発明の実施例はこれに限定されず、ネットワーク制御プレーン及び転送プレーンにより分離された他のゲートウェイデバイスも適用可能である点に留意すべきである。
【０１６７】
本発明の実施例では、指示識別情報の要素の数は１つでもよく、複数でもよいことが分かる。これは、本発明の実施例において限定されない。更に、課金情報識別情報セットの要素の選択肢は単なる例示であり、本発明の実施例を限定することを意図するものではないことが分かる。
【０１６８】
図８は、本発明の他の実施例による課金情報処理方法の処理の概略フローチャートである。
【０１６９】
801：UGW-Cは、第２の課金ポリシーをUGW-Uに送信する。
【０１７０】
第２の課金ポリシーは、課金情報識別情報セット（例えば、指示識別情報セットの要素wはwであるUE  IDの課金情報が保存されないことを示す）を含む。
【０１７１】
802：UGW-Uは、第４の課金情報をUGW-Cに送信する。
【０１７２】
例えば、UGW-Uは、UE-IDがwであるユーザの第４の課金情報を収集し、wを第４の課金情報に記録し、第４の課金情報をUGW-Cに送信する。
【０１７３】
803：UGW-Cは、Sgインタフェースリンクに障害が発生したことを検出する。
【０１７４】
804：UGW-Uは、Sgインタフェースリンクに障害が発生したことを検出する。
【０１７５】
UGW-CとUGW-Uとの間のリンクに障害が発生した場合、UGW-C及びUCW-Uの双方は、Sgインタフェースリンクに障害が発生したことを検出する。
【０１７６】
805：UGW-Cは、第４の課金情報を保存するか否かを決定する。
【０１７７】
例えば、第４の課金情報の指示識別情報がwである場合、UGW-Cは、第４の課金情報を保存しなくてもよく、任意選択で、第４の課金情報を直接的に破棄してもよい。
【０１７８】
806：UGW-Uは、第５の課金情報を保存するか否かを決定する。
【０１７９】
例えば、リンク障害の期間に、UGW-Uは、UE  IDがwであるユーザの第５の課金情報を収集し、第５の課金情報を保存しない。
【０１８０】
従って、本発明の実施例では、指示識別情報を通じて、ゲートウェイ転送プレーンとゲートウェイ制御プレーンとの間のリンクに障害が発生した場合、ゲートウェイ転送プレーン及びゲートウェイ制御プレーンは、いくつかの課金情報を保存してもよく、保存しなくてもよい。このように、課金の柔軟性が向上する。
【０１８１】
図９は、本発明の実施例による課金情報処理方法のフローチャートである。図９に示す方法は、課金ゲートウェイにより実行される。
【０１８２】
901：第１のゲートウェイにより送信された第１の請求書を受信する。
【０１８３】
902：第４のメッセージを第１のゲートウェイに送信する。ただし、第４のメッセージは、第１のゲートウェイに対して第２の請求書を保存するように命令するため又は第１のゲートウェイに対して第２の請求書の送信を遅延させるように命令するために使用される。
【０１８４】
第１のゲートウェイは、P-GW（Packet  Data  Network  Gateway）、PDSN（Packet  Data  Serving  Node）、WASN（WiMAX（Worldwide  Interoperability  for  Microwave  Access）Access  Serving  Network）、又はUGW-Cを含んでもよい。前述のものは本発明において限定されないことが分かる。
【０１８５】
任意選択で、実施例として、第４のメッセージが第１のゲートウェイに対して第２の請求書を保存するように命令するために使用される場合、第５のメッセージは、更に、第１のゲートウェイに送信されてもよい。ただし、第５のメッセージは、第１のゲートウェイに対して第２の請求書を送信するように命令するために使用され、第１のゲートウェイにより送信された第２の請求書が受信される。本発明の実施例による課金情報処理方法の非限定的な実装方法について、図１１に示す例を参照して以下に詳細に説明する。
【０１８６】
任意選択で、他の実施例として、第４のメッセージが第１のゲートウェイに対して第２の課金情報の送信を遅延させるように命令するために使用される場合、遅延時間は、課金ゲートウェイにより予め設定され、第１のゲートウェイに通知されてもよく、また、第１のゲートウェイにより予め設定されてもよい。これは、本発明において限定されない。
【０１８７】
従って、本発明の実施例では、課金ゲートウェイは、第１のゲートウェイに対して請求書を保存するように又は請求書の送信を遅延させるように指示し、第１のゲートウェイと課金ゲートウェイとの間のリンクに障害が発生した場合、第１のゲートウェイは、適時に請求書を保存し、これにより請求書の紛失が生じない。このように、システムの障害回復機能が向上する。
【０１８８】
図１０は、本発明の他の実施例による課金情報処理方法のフローチャートである。図１０に示す方法は、第１のゲートウェイにより実行される。
【０１８９】
第１のゲートウェイは、P-GW、PDSN、WASN、又はUGW-Cを含んでもよい。前述のものは本発明において限定されないことが分かる。
【０１９０】
1001：第１の請求書を課金ゲートウェイに送信する。
【０１９１】
1002：課金ゲートウェイにより送信された第４のメッセージを受信する。
【０１９２】
1003：第４のメッセージに従って第２の請求書を保存する又は第４のメッセージに従って第２の請求書の送信を遅延させる。
【０１９３】
任意選択で、実施例として、第４のメッセージに従って第２の請求書が保存された後に、課金ゲートウェイにより送信された第５のメッセージが更に受信されてもよく、第２の請求書が第５のメッセージに従って課金ゲートウェイに送信される。本発明の実施例による課金情報処理方法の非限定的な実装方法について、図１１に示す例を参照して以下に詳細に説明する。
【０１９４】
任意選択で、他の実施例として、第２の請求書の送信が第４のメッセージに従って遅延される場合、遅延時間は、課金ゲートウェイにより予め設定され、第１のゲートウェイに通知されてもよく、また、第１のゲートウェイにより予め設定されてもよい。これは、本発明において限定されない。
【０１９５】
従って、本発明の実施例では、課金ゲートウェイは、第１のゲートウェイに対して請求書を保存するように又は請求書の送信を遅延させるように指示し、第１のゲートウェイと課金ゲートウェイとの間のリンクに障害が発生した場合、第１のゲートウェイは、適時に請求書を保存し、これにより請求書の紛失が生じない。このように、システムの障害回復機能が向上する。
【０１９６】
本発明の実施例による課金情報処理方法の非限定的な実装方法について、図１１に示す例を参照して以下に詳細に説明する。図１１では、当業者が本発明の実施例を理解するのを助けるために、UGW-Cが第１のゲートウェイとして使用されるものが、説明の例として挙げられる。本発明の実施例はこれに限定されず、第１のゲートウェイは、P-GW、PDSN又はWASNでもよい点に留意すべきである。
【０１９７】
図１１は、本発明の他の実施例による課金情報処理方法の処理の概略フローチャートである。
【０１９８】
1101：UGW-Cは、第１の請求書をCGに送信する。
【０１９９】
1102：CGは、UGW-Cに対して請求書を保存するように命令する第４のメッセージを送信する。
【０２００】
1103：UGW-Cは、第２の請求書を保存する。
【０２０１】
例えば、UGW-Cは、UGW-Uにより送信された課金情報を受信し、第２の請求書を生成し、第２の請求書を保存する。
【０２０２】
1104：CGは、UGW-Cに対して請求書を送信するように命令する第５のメッセージをゲートウェイに送信する。
【０２０３】
1105：UGW-Cは、第２の請求書を読み取る。
【０２０４】
1106：UGW-Cは、第２の請求書をCGに送信する。
【０２０５】
従って、本発明の実施例では、CGは、UGW-Cに対して請求書を保存するように命令し、UGW-CとCGとの間のリンクに障害が発生した場合、UGW-Cは、適時に請求書を保存し、これにより請求書の紛失が生じない。このように、システムの障害回復機能が向上する。
【０２０６】
本発明の実施例は、それぞれの前述の方法の実施例における方法及びステップを実施する装置の実施例を更に提供する。本発明の実施例は、様々な種類の通信システムのゲートウェイ転送プレーン、ゲートウェイ制御プレーン、第１のゲートウェイ又は課金ゲートウェイに適用可能である。図１２は、デバイスの実施例を示しており、この実施例では、デバイス1200は、送信回路1202と、受信回路1203と、電力コントローラ1204と、復号化プロセッサ1205と、プロセッサ1206と、記憶装置1207と、アンテナ1201とを含む。プロセッサ1206は、デバイス1200の動作を制御し、プロセッサ1206は、中央処理装置CPU又はプロセッサと呼ばれることがある。記憶装置1207は、読み取り専用メモリとランダムアクセスメモリとを含んでもよく、プロセッサ1206のための命令及びデータを提供してもよい。記憶装置1207の一部は、不揮発性ランダムアクセスメモリ（NVRAM：nonvolatile  random  access  memory）を更に含んでもよい。特定の用途では、例えば、デバイス1200は、移動電話のような無線通信デバイスに具現されてもよく、デバイス1200は、無線通信デバイスでもよい。デバイス1200は、デバイス1200と遠隔位置との間のデータ送受信を可能にするために、送信回路1202及び受信回路1203に適合するキャリア（搬送波）を更に含んでもよい。送信回路1202及び受信回路1203は、アンテナ1201に結合されてもよい。デバイス1200の構成要素は、バスシステム1210を通じて結合される。データバスに加えて、バスシステム1210は、電力バス、制御バス及び状態信号バスを更に含む。しかし、明瞭な説明のため、図面のバスは、全てバスシステム1210として記されている。デバイス1200は、信号を処理するように構成されたプロセッサ1206を更に含んでもよく、電力コントローラ1204及び復号化プロセッサ1205を更に含んでもよい。
【０２０７】
本発明の実施例に開示の方法は、デバイス1200により実施されてもよく、主にデバイス1200のプロセッサ1206及び送信回路1202により実施されてもよい。プロセッサ1206は、集積回路チップでもよく、信号処理機能を有してもよい。実施処理では、方法のステップは、プロセッサ1206のハードウェアの形式の集積論理回路を通じて実施されてもよく、ソフトウェアの形式の命令を通じて実施されてもよい。本発明の実施例に開示の方法を実施するために、復号化プロセッサは、汎用プロセッサでもよく、デジタルシグナルプロセッサ（DSP：digital  signal  processor）でもよく、特定用途向け集積回路（ASIC：application  specific  integrated  circuit）でもよく、フィールドプログラマブルゲートアレイ（FPGA：field  programmable  gate  array）でもよく、他のプログラム可能論理デバイスでもよく、別個のゲート若しくはトランジスタ論理デバイスでもよく、別個のハードウェアデバイスでもよい。本発明の実施例に開示された方法、ステップ及び論理ブロック図は、実施又は実行されてもよい。汎用プロセッサは、マイクロプロセッサでもよく、プロセッサはまた、いずれかの通常のプロセッサ、デコーダ等でもよい。本発明の実施例に開示された方法のステップは、ハードウェアの形式の復号化プロセッサにより直接実行されてもよく、復号化プロセッサにおいてハードウェア及びソフトウェアモジュールの組み合わせにより実行されてもよい。ソフトウェアモジュールは、ランダムアクセスメモリ、フラッシュメモリ、読み取り専用メモリ、プログラム可能読み取り専用メモリ若しくは電気的消去可能プログラム可能メモリ、又はレジスタのような当該技術分野に本質的にある記憶媒体に存在してもよい。記憶媒体は、記憶装置1207に存在し、復号化ユニットは、記憶装置1207の情報を読み取ることにより、そのハードウェア機能の組み合わせで前述の方法のステップを実施する。
【０２０８】
更に、図１３は、本発明の実施例によるゲートウェイ制御プレーンの構成ブロック図である。図１３に示すゲートウェイ制御プレーン1300は、送信ユニット1301と、記憶装置1302と、受信ユニット1303と、プロセッサ1304とを含む。
【０２０９】
送信ユニット1301は、ゲートウェイ転送プレーンに、課金情報を識別するために使用される課金情報識別情報セットを送信するように構成される。
【０２１０】
記憶装置1302は、ゲートウェイ転送プレーンにより送信された第１の課金情報を保存するように構成される。ただし、第１の課金情報は、第１の課金情報識別情報を伝達し、第１の課金情報識別情報は、課金情報識別情報セットの要素である。
【０２１１】
受信ユニット1303は、ゲートウェイ転送プレーンにより保存されている、ゲートウェイ転送プレーンにより送信された第２の課金情報を受信するように構成される。ただし、第２の課金情報は、第２の課金情報識別情報を伝達し、第２の課金情報識別情報は、課金情報識別情報セットの要素である。
【０２１２】
プロセッサ1304は、第１の課金情報識別情報及び第２の課金情報識別情報に従って、記憶装置1302により保存された第１の課金情報と受信ユニット1303により受信した第２の課金情報とを組み合わせるように構成される。
【０２１３】
本発明の実施例では、ゲートウェイ制御プレーンは、課金情報識別情報セットをゲートウェイ転送プレーンに送信し、課金情報識別情報セットの要素を通じて、ゲートウェイ転送プレーンは、請求書を生成するために、それぞれゲートウェイ制御プレーン及びゲートウェイ転送プレーンにより保存された第１の課金情報及び第２の課金情報を組み合わせてもよい。従って、障害回復機能が効果的に向上可能になり、課金の信頼性が確保可能になる。
【０２１４】
ゲートウェイ制御プレーン1300は、図１〜図５に示す実施例におけるゲートウェイ制御プレーンに関する動作を実施してもよく、詳細はここでは繰り返されない。
【０２１５】
任意選択で、実施例として、課金情報識別情報セットの要素は、ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを含んでもよい。
【０２１６】
任意選択で、他の実施例として、プロセッサ1304は、特に、第１の課金情報識別情報と第２の課金情報識別情報との間の対応に従って、記憶装置1302により保存された第１の課金情報と受信ユニット1303により受信した第２の課金情報とを組み合わせるように構成される。
【０２１７】
任意選択で、他の実施例として、ゲートウェイ転送プレーンへのリンクに障害が発生したことをプロセッサ1304が検出した場合、記憶装置1302は、特に、第１の課金情報を保存するように構成され、ゲートウェイ転送プレーンへのリンクが回復したことをプロセッサ1304が検出した場合、受信ユニット1330は、特に、ゲートウェイ転送プレーンにより保存されている、ゲートウェイ転送プレーンにより送信された第２の課金情報を受信するように構成される。
【０２１８】
任意選択で、他の実施例として、送信ユニット1301は、第１のメッセージをゲートウェイ転送プレーンに送信し、記憶装置1302は、特に、第１の課金情報を保存するように構成される。ただし、第１のメッセージは、ゲートウェイ転送プレーンに対して第２の課金情報を保存するように命令するために使用される。更に、送信ユニット1301は、第２のメッセージをゲートウェイ転送プレーンに送信するように更に構成される。ただし、第２のメッセージは、ゲートウェイ転送プレーンに対して第２の課金情報を送信するように命令するために使用される。
【０２１９】
従って、ゲートウェイ制御プレーンとゲートウェイ転送プレーンとの間のリンクに障害が発生した場合、ゲートウェイ制御プレーン及びゲートウェイ転送プレーンの双方は、適時に課金情報を保存し、これにより、課金情報の紛失が生じない。このように、システムの障害回復機能が向上する。
【０２２０】
任意選択で、他の実施例として、プロセッサ1304は、第１の課金情報と第２の課金情報との組み合わせに成功した場合、請求書を生成し、第１の課金情報と第２の課金情報との組み合わせに失敗した場合、課金情報が失われたことを記録するように更に構成される。或いは、送信ユニット1301は、ゲートウェイ転送プレーンが要求メッセージに従って第１の課金情報に一致する第３の課金情報を検索するために、第１の課金情報識別情報を含む要求メッセージをゲートウェイ転送プレーンに送信するように更に構成される。
【０２２１】
任意選択で、他の実施例として、受信ユニット1303は、ゲートウェイ転送プレーンが第３の課金情報を見つけた場合、ゲートウェイ転送プレーンにより送信された第３の課金情報を受信するように更に構成される。ただし、第３の課金情報は、第３の課金情報識別情報を伝達し、第３の課金情報識別情報は、課金情報識別情報セットの要素である。プロセッサ1304は、第１の課金情報識別情報及び第３の課金情報識別情報に従って、第１の課金情報と第３の課金情報とを組み合わせるように更に構成される。或いは、受信ユニット1303は、ゲートウェイ転送プレーンが第３の課金情報を見つけなかった場合、ゲートウェイ転送プレーンにより送信された第３のメッセージを受信するように更に構成される。ただし、第３のメッセージは、課金情報が失われたことを示すために使用される。
【０２２２】
本発明の実施例では、ゲートウェイ転送プレーンが一致する課金情報を検索し、一致する課金情報をゲートウェイ制御プレーンに送信するために、ゲートウェイ制御プレーンは、要求メッセージをゲートウェイ転送プレーンに能動的に送信する。このように、システムの耐障害性機能が効果的に向上可能になり、課金の信頼性が確保可能になる。
【０２２３】
図１４は、本発明の他の実施例によるゲートウェイ転送プレーンの構成ブロック図である。図１４に示すゲートウェイ転送プレーン1400は、受信ユニット1401と、第１の送信ユニット1402と、記憶装置1403と、第２の送信ユニット1404とを含む。
【０２２４】
受信ユニット1401は、課金情報を識別するために使用される、ゲートウェイ制御プレーンにより送信された課金情報識別情報セットを受信するように構成される。受信ユニット1401は、課金情報識別情報セットを第１の送信ユニット1402及び第２の送信ユニット1404に送信する。
【０２２５】
第１の送信ユニット1402は、第１の課金情報をゲートウェイ制御プレーンに送信するように構成される。ただし、第１の課金情報は、第１の課金情報識別情報を伝達し、第１の課金情報識別情報は、課金情報識別情報セットの要素である。
【０２２６】
記憶装置1403は、第２の課金情報を保存するように構成される。
【０２２７】
第２の送信ユニット1404は、ゲートウェイ制御プレーンが第１の課金情報識別情報及び第２の課金情報識別情報に従って、第１の送信ユニットにより送信された第１の課金情報と第２の送信ユニットにより送信された第２の課金情報とを組み合わせるために、記憶装置1403に保存された第２の課金情報をゲートウェイ制御プレーンに送信するように構成される。ただし、第２の課金情報は、第２の課金情報識別情報を伝達し、第２の課金情報識別情報は、課金情報識別情報セットの要素である。
【０２２８】
本発明の実施例では、ゲートウェイ制御プレーンは、課金情報識別情報セットをゲートウェイ転送プレーンに送信し、課金情報識別情報セットの要素を通じて、ゲートウェイ転送プレーンは、請求書を生成するために、それぞれゲートウェイ制御プレーン及びゲートウェイ転送プレーンにより保存された第１の課金情報及び第２の課金情報を組み合わせてもよい。従って、障害回復機能が効果的に向上可能になり、課金の信頼性が確保可能になる。
【０２２９】
ゲートウェイ転送プレーン1400は、図１〜図５に示す実施例におけるゲートウェイ転送プレーンに関する動作を実施してもよく、詳細はここでは繰り返されない。
【０２３０】
任意選択で、実施例として、課金情報識別情報セットの要素は、ゲートウェイ制御プレーンにより生成された値、ユーザ装置識別情報UE  ID、端末アドレスUE  IP、UEエントリーインデックス及びコンテキストインデックスのうち１つ又はいずれかの組み合わせを含んでもよい。
【０２３１】
任意選択で、実施例として、記憶装置1403は、特に、ゲートウェイ制御プレーンへのリンクに障害が発生したことが検出された場合、第２の課金情報を保存するように構成され、第２の送信ユニット1404は、特に、ゲートウェイ制御プレーンへのリンクが回復したことが検出された場合、第２の課金情報をゲートウェイ制御プレーンに送信するように構成される。
【０２３２】
任意選択で、実施例として、受信ユニット1401は、ゲートウェイ制御プレーンにより送信された第１のメッセージを受信するように更に構成され、記憶装置1403は、特に、受信ユニット1401により受信した第１のメッセージに従って第２の課金情報を保存するように構成される。更に、受信ユニット1401は、ゲートウェイ制御プレーンにより送信された第２のメッセージを受信するように更に構成され、第２の送信ユニット1404は、特に、受信ユニット1401により受信した第２のメッセージに従って第２の課金情報をゲートウェイ制御プレーンに送信するように構成される。
【０２３３】
従って、ゲートウェイ制御プレーンとゲートウェイ転送プレーンとの間のリンクに障害が発生した場合、ゲートウェイ転送プレーンは、適時に課金情報を保存し、これにより、課金情報の紛失が生じない。このように、システムの障害回復機能が向上する。
【０２３４】
任意選択で、実施例として、受信ユニット1401は、ゲートウェイ制御プレーンにより送信された要求メッセージを受信するように更に構成される。ただし、要求メッセージは、第１の課金情報識別情報を含む。ゲートウェイ転送プレーンは、要求メッセージに従って第１の課金情報に一致する第３の課金情報を検索するように構成されたプロセッサ1405を更に含んでもよい。
【０２３５】
任意選択で、他の実施例として、プロセッサ1405が第３の課金情報を見つけて第３の課金情報を第２の送信ユニット1404に送信した場合、第２の送信ユニット1404は、ゲートウェイ制御プレーンが第１の課金情報識別情報及び第３の課金情報識別情報に従って、第１の課金情報と第３の課金情報とを組み合わせるために、第３の課金情報をゲートウェイ制御プレーンに送信するように更に構成される。ただし、第３の課金情報は、第３の課金情報識別情報を伝達し、第３の課金情報識別情報は、課金情報識別情報セットの要素である。プロセッサ1405が第３の課金情報を見つけなかった場合、第２の送信ユニット1404は、第３のメッセージをゲートウェイ制御プレーンに送信するように更に構成される。ただし、第３のメッセージは、課金情報が失われたことを示すために使用される。
【０２３６】
本発明の実施例では、ゲートウェイ転送プレーンが一致する課金情報を検索し、一致する課金情報をゲートウェイ制御プレーンに送信するために、ゲートウェイ制御プレーンは、要求メッセージをゲートウェイ転送プレーンに能動的に送信する。このように、システムの耐障害性機能が効果的に向上可能になり、課金の信頼性が確保可能になる。
【０２３７】
図１５は、本発明の実施例によるゲートウェイ制御プレーンの構成ブロック図である。図１５に示すゲートウェイ制御プレーン1500は、送信ユニット1501と、受信ユニット1502と、プロセッサ1503とを含む。
【０２３８】
送信ユニット1501は、指示識別情報セットをゲートウェイ転送プレーンに送信するように構成される。
【０２３９】
受信ユニット1502は、ゲートウェイ転送プレーンにより送信された第４の課金情報を受信するように構成される。ただし、第４の課金情報は、指示識別情報を伝達し、指示識別情報は、指示識別情報セットの要素である。
【０２４０】
プロセッサ1503は、ゲートウェイ転送プレーンへのリンクに障害が発生したことが検出された場合、指示識別情報に従って、受信ユニットにより受信した第４の課金情報が保存される必要があるか否かを決定するように構成される。
【０２４１】
ゲートウェイ制御プレーン1500は、図６〜図８に示す実施例におけるゲートウェイ制御プレーンに関する動作を実施してもよく、詳細はここでは繰り返されない。
【０２４２】
任意選択で、実施例として、送信ユニット1501は、特に、課金ポリシーをゲートウェイ転送プレーンに送信するように構成される。ただし、課金ポリシーは、指示識別情報セットを含む。
【０２４３】
本発明の実施例では、指示識別情報を通じて、ゲートウェイ転送プレーンとゲートウェイ制御プレーンとの間のリンクに障害が発生した場合、ゲートウェイ転送プレーン及びゲートウェイ制御プレーンは、いくつかの課金情報を保存してもよく、保存しなくてもよい。このように、課金の柔軟性が向上する。
【０２４４】
図１６は、本発明の実施例によるゲートウェイ転送プレーンの構成ブロック図である。図１６に示すゲートウェイ転送プレーン1600は、受信ユニット1601と、送信ユニット1602と、プロセッサ1603とを含む。
【０２４５】
受信ユニット1601は、ゲートウェイ制御プレーンにより送信された指示識別情報セットを受信するように構成される。
【０２４６】
送信ユニット1602は、第４の課金情報をゲートウェイ制御プレーンに送信するように構成される。ただし、第４の課金情報は、指示識別情報を伝達し、指示識別情報は、受信ユニットにより受信した指示識別情報セットの要素である。
【０２４７】
プロセッサ1603は、ゲートウェイ制御プレーンへのリンクに障害が発生したことが検出された場合、受信ユニット1601により受信した指示識別情報セットに従って、ゲートウェイ制御プレーンへのリンクに障害が発生した場合に記憶装置に収集された第５の課金情報が保存される必要があるか否かを決定するように構成される。
【０２４８】
ゲートウェイ転送プレーン1600は、図６〜図８に示す実施例におけるゲートウェイ転送プレーンに関する動作を実施してもよく、詳細はここでは繰り返されない。
【０２４９】
任意選択で、実施例として、受信ユニット1601は、特に、ゲートウェイ制御プレーンにより送信された課金ポリシーを受信するように構成される。ただし、課金ポリシーは、指示識別情報セットを含む。
【０２５０】
本発明の実施例では、指示識別情報を通じて、ゲートウェイ転送プレーンとゲートウェイ制御プレーンとの間のリンクに障害が発生した場合、ゲートウェイ転送プレーン及びゲートウェイ制御プレーンは、いくつかの課金情報を保存してもよく、保存しなくてもよい。このように、課金の柔軟性が向上する。
【０２５１】
図１７は、本発明の実施例による課金ゲートウェイの構成ブロック図である。図１７に示す課金ゲートウェイ1700は、受信ユニット1701と、送信ユニット1702とを含む。
【０２５２】
受信ユニット1701は、第１のゲートウェイにより送信された第１の請求書を受信するように構成される。
【０２５３】
送信ユニット1702は、第４のメッセージを第１のゲートウェイに送信するように構成される。ただし、第４のメッセージは、第１のゲートウェイに対して第２の請求書を保存するように命令するため、又は第１のゲートウェイに対して第２の請求書の送信を遅延させるように命令するために使用される。
【０２５４】
課金ゲートウェイ1700は、図９〜図１１に示す実施例における課金ゲートウェイに関する動作を実施してもよく、詳細はここでは繰り返されない。
【０２５５】
任意選択で、実施例として、送信ユニット1702は、第５のメッセージを第１のゲートウェイに送信するように更に構成される。ただし、第５のメッセージは、第１のゲートウェイに対して第２の請求書を送信するように命令するために使用される。受信ユニット1701は、第１のゲートウェイにより送信された第２の請求書を受信するように更に構成される。
【０２５６】
従って、本発明の実施例では、課金ゲートウェイは、第１のゲートウェイに対して請求書を保存するように又は請求書の送信を遅延させるように指示し、第１のゲートウェイと課金ゲートウェイとの間のリンクに障害が発生した場合、第１のゲートウェイは、適時に請求書を保存し、これにより請求書の紛失が生じない。このように、システムの障害回復機能が向上する。
【０２５７】
図１８は、本発明の実施例による第１のゲートウェイの構成ブロック図である。図１８に示す第１のゲートウェイ1800は、送信ユニット1801と、受信ユニット1802と、記憶装置1803とを含む。
【０２５８】
第１のゲートウェイは、P-GW（Packet  Data  Network  Gateway）、PDSN（Packet  Data  Serving  Node）、WASN（WiMAX（Worldwide  Interoperability  for  Microwave  Access）Access  Serving  Network）、又はUGW-Cを含んでもよい。前述のものは本発明において限定されないことが分かる。
【０２５９】
送信ユニット1801は、第１の請求書を課金ゲートウェイに送信するように構成される。
【０２６０】
受信ユニット1802は、課金ゲートウェイにより送信された第４のメッセージを受信するように構成される。
【０２６１】
記憶装置1803は、受信ユニットにより受信した第４のメッセージに従って第２の請求書を保存するように、又は第４のメッセージに従って第２の請求書の送信を遅延させるように構成される。
【０２６２】
第１のゲートウェイ1800は、図９〜図１１に示す実施例における第１のゲートウェイに関する動作を実施してもよく、詳細はここでは繰り返されない。
【０２６３】
任意選択で、実施例として、受信ユニット1802は、課金ゲートウェイにより送信された第５のメッセージを受信するように更に構成され、送信ユニット1801は、受信ユニットにより受信した第５のメッセージに従って第２の請求書を課金ゲートウェイに送信するように更に構成される。
【０２６４】
従って、本発明の実施例では、課金ゲートウェイは、第１のゲートウェイに対して請求書を保存するように又は請求書の送信を遅延させるように指示し、第１のゲートウェイと課金ゲートウェイとの間のリンクに障害が発生した場合、第１のゲートウェイは、適時に請求書を保存し、これにより請求書の紛失が生じない。このように、システムの障害回復機能が向上する。
【０２６５】
便宜上及び簡単な説明の目的で、前述のシステム、装置及び処理の詳細な動作処理について、方法の実施例の対応する処理に参照が行われてもよいことが、当業者に明らかにわかる。詳細はここでは繰り返されない。
【０２６６】
本願に提供される複数の実施例において、開示されたシステム、装置及び方法は、他の方法で実施されてもよいことが分かる。例えば、前述に記載の装置の実施例は単なる例である。例えば、ユニットの分割は単に論理的な機能分割であり、実際の実装では他の分割でもよい。例えば、複数のユニット又は構成要素は、組み合わされてもよく、他のシステムに統合されてもよい。或いは、いくつかの機能は無視されてもよく、実行されなくてもよい。更に、図示又は説明した結合若しくは直接結合又は通信接続は、いくつかのインタフェースを通じて実現されてもよく、装置若しくはユニットの間の間接結合又は通信接続は、電気的でもよく、機械的でもよく、他の形式でもよい。
【０２６７】
別個の構成要素として記載されたユニットは、物理的に分離されてもよく、分離されなくてもよい。ユニットとして示された構成要素は、物理ユニットでもよく、物理ユニットでなくてもよい。すなわち、１つの場所に存在してもよく、複数のネットワークユニットに分散されてもよい。ユニットの全部又は一部は、実際の要求に従って実施例の対策の目的を実現するために選択されてもよい。
【０２６８】
更に、本発明の各実施例の様々な機能ユニットは、１つの処理ユニットに統合されてもよく、様々な別個の物理ユニットとして存在してもよい。或いは、２つ以上のユニットが１つのユニットに統合されてもよい。
【図１】
0006034964.tif 000002
【図２】
0006034964.tif 000003
【図３】
0006034964.tif 000004
【図４】
0006034964.tif 000005
【図５】
0006034964.tif 000006
【図６】
0006034964.tif 000007
【図７】
0006034964.tif 000008
【図８】
0006034964.tif 000009
【図９】
0006034964.tif 000010
【図１０】
0006034964.tif 000011
【図１１】
0006034964.tif 000012
【図１２】
0006034964.tif 000013
【図１３】
0006034964.tif 000014
【図１４】
0006034964.tif 000015
【図１５】
0006034964.tif 000016
【図１６】
0006034964.tif 000017
【図１７】
0006034964.tif 000018
【図１８】
0006034964.tif 000019